(57)【要約】【課題】  アイドル候補生を支援するファン支援者について、投票の参加意欲を高めることのできるアイドル候補生支援システムを提供する。【解決手段】  管理記憶手段ＤＢに各支援者のゲーム総得点、各支援者の投票権総数、及び各アイドル候補生の得票総数を記憶する。各支援者は、各支援者端末Ｘを使用して、特典付与ゲームを実行し、管理制御手段Ｙは、特典付与条件に基づいて、ゲーム得点を付与する。管理制御手段は、与ゲームを実行した支援者のゲーム総得点にゲーム得点を加算する。各支援者は、各支援者端末Ｘを使用して、ゲーム総得点内でゲーム得点を選択し、管理制御手段Ｙはゲーム得点を投票権数に変換する。各支援者は、各支援者端末を使用して、投票権総数内で投票数を選択し、管理制御手段Ｙは投票対象・アイドル候補生の得票総数に投票数を加算する。【選択図】  図１
2014203253.tif 000002
【特許請求の範囲】
【請求項１】
複数のアイドル候補生を支援し、複数の支援者が使用する各支援者端末、及び管理者が管理する管理者端末装置を備え、前記各支援者端末及び前記管理者端末装置をネットワークを通して接続するアイドル候補生支援システムであって、
［Ａ］前記複数の支援者端末は、
支援表示手段と、
前記ネットワーク及び前記支援表示手段に接続される支援制御手段と、
を備え、
［Ｂ］前記管理者端末装置は、
前記各支援者のゲーム総得点、前記各支援者の投票権総数及び前記各アイドル候補生の得票総数を記憶する管理記憶手段と、
前記ネットワーク及び前記管理記憶手段に接続される管理制御手段と、
を備え、
［Ｃ］前記一又は複数の支援者端末において、
前記支援制御手段は、前記支援者の入力操作に基づいて、
投票権変換要求、及びゲーム得点を投票権に変換する投票権数を前記管理制御手段に送信し、
投票要求、投票数及び投票対象・アイドル候補生の識別情報を前記管理制御手段に送信し、
ゲーム開始要求を前記管理制御手段に送信し、
［Ｄ］前記管理端末装置において、
前記管理制御手段は、
前記投票権変換要求、及び前記投票権数を受信すると、前記投票権変換要求した前記支援者の投票権総数に前記投票権数を加算し、及び前記投票権変換要求した前記支援者のゲーム総得点から前記投票権数に相当するゲーム得点を減算して、前記管理記憶手段に更新記憶し、
前記投票要求、前記投票数及び前記投票対象・アイドル候補生の識別情報を受信すると、前記投票対象・アイドル候補生の得票総数に前記投票数を加算し、及び前記投票要求した前記支援者の投票権総数から前記投票数を減算して、前記管理記憶手段に更新記憶し、
［Ｅ］前記管理者端末装置、及び前記一又は複数の支援者端末において、
前記管理制御手段は、前記ゲーム開始要求を受信すると、前記特典付与ゲーム情報を前記ゲーム開始要求した前記支援制御手段に送信して、前記特典付与ゲームを開始し、
前記支援制御手段は、前記特典付与ゲーム情報を受信すると、前記支援表示手段に表示し、及び前記支援者の入力操作に基づいて、特典付与ゲームを実行して特典付与ゲーム実行情報を前記管理制御手段に送信し、
前記管理制御手段は、前記特典付与ゲーム実行情報を受信すると、特典付与条件に基づいて、前記特典付与ゲームを実行した前記支援者のゲーム総得点にゲーム得点を加算して、前記管理記憶手段に更新記憶する
ことを特徴とするアイドル候補生支援システム。
【請求項２】
［Ｆ］前記管理者端末装置において、
前記管理記憶手段は、前記各支援者の仮想コイン総数を記憶し、
［Ｇ］前記一又は複数の支援者端末、及び前記管理端末装置において、
前記支援制御手段は、前記支援者の入力操作に基づいて、前記ゲーム開始要求を前記管理制御手段に送信し、
前記管理制御手段は、前記ゲーム開始要求を受信すると、前記特典付与ゲーム情報を前記ゲーム開始要求した前記支援制御手段に送信し、及び前記ゲーム開始要求した前記支援者の仮想コイン総数から特典付与ゲーム開始条件に相当する仮想コイン数を減算して、前記管理記憶手段に更新記憶する
ことを特徴とする請求項１に記載のアイドル候補生支援システム。
【請求項３】
［Ｈ］前記管理者端末装置に前記ネットワークで接続され、複数のアイドル候補生が使用するアイドル候補生端末を備え、
［Ｉ］前記一又は複数のアイドル候補生端末は、
前記ネットワークに接続される候補生制御手段を備え、
［Ｊ］前記一又は複数のアイドル候補生端末、及び前記管理者端末装置において、
前記候補生制御手段は、前記アイドル候補生の入力操作に基づいて、アイドル候補生の識別情報及び前記アイドル候補生の個人情報を前記管理制御手段に送信し、
前記管理制御手段は、前記アイドル候補生の識別情報、及び前記アイドル候補生の個人情報を受信すると、前記管理記憶手段に記憶する
ことを特徴とする請求項１又は２に記載のアイドル候補生支援システム。
【請求項４】
［Ｋ］前記一又は複数の支援者端末、及び前記管理者端末装置において、
前記支援制御手段は、前記支援者の入力操作に基づいて、前記支援者の識別情報及び前記支援者の個人情報を前記管理制御手段に送信し、
前記管理制御手段は、前記支援者の識別情報及び前記支援者の個人情報を受信すると、前記管理記憶手段に記憶する
ことを特徴とする請求項１乃至３に記載のアイドル候補生支援システム。
【請求項５】
［Ｌ］前記管理者端末装置において、
前記管理記憶手段は、前記各支援者の個人情報を記憶し、
［Ｍ］前記一又は複数の支援者端末において、
前記支援制御手段は、前記支援者の入力操作に基づいて、ゲーム総得点閲覧要求を前記管理制御手段に送信し、
［Ｎ］前記管理者端末装置、及び前記一又は複数の支援者端末において、
前記管理制御手段は、前記ゲーム総得点閲覧要求を受信すると、前記支援者の個人情報及び前記各支援者のゲーム総得点に基づいて、ゲーム総得点順位に前記各支援者の個人情報を対応付けて成るゲーム総得点ランキング画像を構築して、前記支援制御手段に送信し、
前記支援制御手段は、前記ゲーム総得点ランキング画像を受信すると、前記支援表示手段に表示する
ことを特徴とする請求項１乃至４の何れかに記載のアイドル候補生支援システム。
【請求項６】
［Ｏ］前記管理者端末装置において、
前記管理記憶手段は、前記各アイドル候補生の個人情報を記憶し、
［Ｐ］前記一又は複数の支援者端末において、
前記支援制御手段は、前記支援者の入力操作に基づいて、得票総数閲覧要求を前記管理制御手段に送信し、
［Ｑ］前記管理者端末装置、及び前記一又は複数の支援者端末において、
前記管理者制御手段は、前記得票総数閲覧要求を受信すると、前記各アイドル候補生の個人情報及び前記各アイドル候補生の得票総数に基づいて、得票総数順位に前記各アイドル候補生の個人情報を対応付けて成る得票総数ランキング画像を構築して、前記支援制御手段に送信し、
前記支援制御手段は、前記得票総数ランキング画像を受信すると、前記支援表示手段に表示する
ことを特徴とする請求項１乃至５の何れかに記載のアイドル候補生支援システム。
【請求項７】
［Ｒ］前記管理者端末装置において、
前記管理記憶手段は、前記各アイドル候補生の個人情報を記憶し、
［Ｓ］前記一又は複数の支援者端末において、
前記支援制御手段は、前記支援者の入力操作に基づいて、候補生プロフィール閲覧要求、及びプロフィール閲覧対象・アイドル候補生の識別情報を前記管理制御手段に送信し、
［Ｔ］前記管理者端末装置、及び前記一又は複数の支援者端末において、
前記管理制御手段は、前記プロフィール候補生閲覧要求、及び前記プロフィール閲覧対象・アイドル候補生の識別情報を受信すると、前記プロフィール閲覧対象・アイドル候補生の個人情報で成る候補生プロフィール画像を構築して、前記支援制御手段に送信し、
前記支援制御手段は、前記候補生プロフィール画像を受信すると、前記支援表示手段に表示する
ことを特徴とする請求項１乃至６の何れかに記載のアイドル候補生支援システム。
【発明の詳細な説明】
【技術分野】
【０００１】
本発明は、複数のファン支援者の使用する各ファン支援者端末、及び管理者の管理する管理者端末装置をネットワーク（インターネット等）で接続して、各ファン支援者端末及び管理者端末装置間で特典付与ゲームを実行し、及び複数のアイドル候補生に投票して支援するアイドル候補生支援システムに関する。
【背景技術】
【０００２】
人気投票等の投票システムとして、特許文献１は、投票処理サーバ及びユーザ端末を通信網で接続する技術を開示する。投票処理サーバはコンテンツ画面をユーザ端末に送信し、ユーザ端末はコンテンツ画面を表示する。ユーザはコンテンツ画面でコンテンツを選択し、及び投票数を入力して投票する。
【先行技術文献】
【特許文献】
【０００３】
【特許文献１】特開２００４−２４６４０９号公報
【発明の概要】
【発明が解決しようとする課題】
【０００４】
しかし、特許文献１は、ユーザはコンテンツに対して投票のみするので、投票の参加意欲を高めることができないという問題がある。
【０００５】
本発明は、上記問題に鑑みてなされたもので、投票の参加意欲を高めることができるアイドル候補生支援システムを提供するものである。
【課題を解決するための手段】
【０００６】
本発明に係る請求項１は、複数のアイドル候補生を支援し、複数の支援者が使用する各支援者端末、及び管理者が管理する管理者端末装置を備え、前記各支援者端末及び前記管理者端末装置をネットワークを通して接続するアイドル候補生支援システムであって、前記複数の支援者端末は、支援表示手段と、前記ネットワーク及び前記支援表示手段に接続される支援制御手段と、を備え、前記管理者端末装置は、前記各支援者のゲーム総得点、前記各支援者の投票権総数及び前記各アイドル候補生の得票総数を記憶する管理記憶手段と、前記ネットワーク及び前記管理記憶手段に接続される管理制御手段と、を備え、前記一又は複数の支援者端末において、前記支援制御手段は、前記支援者の入力操作に基づいて、投票権変換要求、及びゲーム得点数を投票権に変換する投票権数を前記管理制御手段に送信し、投票要求、投票数及び投票対象・アイドル候補生の識別情報を前記管理制御手段に送信し、ゲーム開始要求を前記管理制御手段に送信し、前記管理者端末装置において、管理制御手段は、前記投票権変換要求、及び前記投票権数を受信すると、前記投票権変換要求した前記支援者の投票権総数に前記投票権数を加算し、及び前記投票権変換要求した前記支援者のゲーム総得点から前記投票権数に相当するゲーム得点を減算して、前記管理記憶手段に更新記憶し、前記投票要求、前記投票数及び前記投票対象・アイドル候補生の識別情報を受信すると、前記投票対象・アイドル候補生の得票総数に前記投票数を加算し、及び前記投票要求した前記支援者の投票権総数から前記投票数を減算して、前記管理記憶手段に更新記憶し、前記管理者端末装置、及び前記一又は複数の支援者端末において、前記管理制御手段は、前記ゲーム開始要求を受信すると、特典付与ゲーム情報を前記ゲーム開始要求した前記支援制御手段に送信して、特典付与ゲームを開始し、前記支援制御手段は、前記特典付与ゲーム情報を受信すると、前記画像表示手段に表示し、及び前記支援者の入力操作に基づいて、特典付与ゲームを実行して特典付与ゲーム実行情報を前記管理制御手段に送信し、前記管理制御手段は、前記特典付与ゲーム実行情報を受信すると、特典付与条件に基づいて、前記ゲーム開始要求した前記支援者のゲーム総得点にゲーム得点を加算して、前記管理記憶手段に更新記憶することを特徴とするアイドル候補生支援システムである。
【０００７】
本発明に係る請求項２は、前記管理者端末装置において、前記管理記憶手段は、前記各支援者の仮想コイン総数を記憶し、前記一又は複数の支援者端末、及び前記管理者端末装置において、前記支援制御手段は、前記支援者の入力操作に基づいて、前記ゲーム開始要求、及び仮想コイン数を前記管理制御手段に送信し、前記管理制御手段は、前記ゲーム開始要求、及び前記仮想コイン数を受信すると、前記特典付与ゲーム情報を前記ゲーム開始要求した前記支援制御手段に送信し、及び前記ゲーム開始要求した前記支援者の仮想コイン総数から特典付与ゲーム開始条件に相当する仮想コイン数を減算して、前記管理記憶手段に更新記録することを特徴とする請求項１に記載のアイドル候補生支援システムである。
【０００８】
本発明に係る請求項３は、前記管理者端末装置に前記ネットワークを通して接続され、複数のアイドル候補生が使用する各アイドル候補生端末を備え、前記各アイドル候補生端末は、前記ネットワークに接続される候補生制御手段を備え、前記一又は複数のアイドル候補生端末、及び前記管理者端末装置において、前記候補生制御手段は、前記アイドル候補生の入力操作に基づいて、アイドル候補生の識別情報及びアイドル候補生の個人情報を前記管理制御手段に送信し、前記管理制御手段は、前記アイドル候補生の識別情報、及びアイドル候補生の個人情報を受信すると、前記管理記憶手段に記憶することを特徴とする請求項１又は２に記載のアイドル候補生支援システムである。
【０００９】
本発明に係る請求項４は、前記一又は複数の支援者端末、及び前記管理者端末装置において、前記支援者制御手段は、前記支援者の入力操作に基づいて、前記支援者の識別情報及び前記支援者の個人情報を前記管理制御手段に送信し、前記管理制御手段は、前記支援者の識別情報及び前記支援者の個人情報を受信すると、前記管理記憶手段に記憶することを特徴とする請求項１乃至３の何れかに記載のアイドル候補生支援システムである。
【００１０】
本発明に係る請求項５は、前記管理者端末装置において、前記管理記憶手段は、前記各支援者の個人情報を記憶し、前記一又は複数の支援者端末において、前記支援制御手段は、前記支援者の入力操作に基づいて、ゲーム総得点閲覧要求を前記管理制御手段に送信し、前記管理者端末装置、及び前記一又は複数の支援者端末において、前記管理制御手段は、前記ゲーム総得点閲覧要求を受信すると、前記各支援者の個人情報及び前記各支援者のゲーム総得点に基づいて、ゲーム総得点順に前記各支援者の個人情報を対応付けて成るゲーム総得点ランキング画像を構築して、前記支援制御手段に送信し、前記支援者制御手段は、前記ゲーム総得点ランキング画像を受信すると、前記支援表示手段に表示することを特とする請求項１乃至４の何れかに記載のアイドル候補生支援者システムである。
【００１１】
本発明に係る請求項６は、前記管理者端末装置において、前記管理記憶手段は、前記各アイドル候補生の個人情報を記憶し、前記一又は複数の支援者端末において、前記支援制御手段は、前記支援者の入力操作に基づいて、得票総数閲覧要求を前記管理制御手段に送信し、前記管理者端末装置、及び前記一又は複数の支援者端末において、前記管理制御手段は、前記得票総数閲覧要求を受信すると、前記各アイドル候補生の個人情報及び前記各アイドル候補生の前記得票総数に基づいて、得票総数順に前記各アイドル候補生の個人情報を対応付けて成る得票総数ランキング画像を構築して、前記支援制御手段に送信し、前記支援者制御手段は、前記得票総数ランキング画像を受信すると、前記支援表示手段に表示することを特徴とする請求項１乃至５の何れかに記載アイドル候補生支援システムである。
【００１２】
本発明に係る請求項７は、前記管理者端末装置において、前記管理記憶手段は、前記各アイドル候補生の個人情報を記憶し、前記一又は複数の支援者端末において、前記支援制御手段は、前記支援者の入力操作に基づいて、候補生プロフィール閲覧要求、及びプロフィール閲覧対象・アイドル候補生の識別情報を前記管理制御手段に送信し、前記管理者端末装置、及び前記一又は複数の支援者端末において、前記管理制御手段は、前記候補生プロフィール閲覧要求及び前記プロフィール閲覧対象・アイドル候補生の識別情報を受信すると、前記プロフィール閲覧対象・アイドル候補生の個人情報でなる候補生プロフィール画像を構築して、前記支援制御手段に送信し、前記支援制御手段は、前記候補生プロフィール画像を受信すると、前記支援表示手段に表示することを特徴とする請求項１乃至６の何れかに記載のアイドル候補生支援システムである。
【発明の効果】
【００１３】
本発明に係る請求項１では、複数の支援者は、各支援者端末を使用して、ゲーム開始要求を入力する。支援者端末において、支援制御手段は、支援者の入力操作に基づいて、ゲーム開始要求を管理制御手段に送信する。管理制御手段は、ゲーム開始要求を受信すると、ゲーム開始要求した支援者端末とで特典付与ゲームを実行する。管理制御手段は、特典付与ゲームにおいて、特典付与条件に基づいて、特典付与ゲームを実行した支援者にゲーム得点を付与する。管理制御手段は、特典付与ゲームを実行した支援者のゲーム総得点にゲーム得点を加算して、管理記憶手段に更新記憶する。これにより、各支援者は、特典付与ゲームの特典付与条件を満たすことで、ゲーム総得点を増加でき、他の支援者に対して満足感を得ることができる。
複数の支援者は、各支援者端末を使用して、ゲーム得点を投票権に変換する投票権数を入力する。支援者端末において、支援制御手段は、投票権数を管理制御手段に送信する。管理制御手段は、投票権数を受信すると、投票権変換要求した支援者の投票権総数に投票権数を加算し、及びゲーム総得点から投票権数に相当するゲーム得点を減算して、管理記憶手段に更新記憶する。これにより、支援者は、ゲーム総得点内でゲーム得点を選択して、ゲーム得点を投票権に変換できる。
複数の支援者は、各支援者端末を使用して、投票数、及び投票対象・アイドル候補生の識別情報を入力する。支援者端末において、支援制御手段は、投票数及び投票対象・アイドル候補生の識別情報を管理制御手段に送信する。管理制御手段は、投票数及び投票対象・アイドル候補生の識別情報を受信すると、投票要求した支援者の投票権総数から投票数を減算し、及び投票対象・アイドル候補生の投票総数に投票数を加算して、管理記憶手段に更新記憶する。これにより、支援者は、投票権総数内で投票数を選択して、アイドル候補生に投票できる。
このように、複数の支援者は、特典付与ゲームを実行して、ゲーム得点を得ることで、ゲーム総得点内でゲーム得点を使用して、アイドル候補生に投票できる。
一般に、ネットワークゲーム等のゲーム依存者の多くは、アイドル依存者であり、特典付与ゲーム及びアイドル候補生の投票を同一システムで実行することで、アイドル候補生の支援者のみならず、ゲーム依存者も特典付与ゲームを通じてアイドル候補生の投票に参加するので、アイドル候補生の投票参加を高めることができる。
管理者は、各アイドル候補生の得票総数に基づいて、人気のあるアイドル候補生を認識でき、デビュさせるアイドル候補生を特定する指針にできる。
【００１４】
本発明に係る請求項２では、複数の支援者は、各支援者端末を使用して、ゲーム開始要求を入力する。支援制御手段は、ゲーム開始要求を送信する。管理制御手段は、ゲーム開始要求を受信すると、支援制御手段とで特典付与ゲームを実行し、ゲーム開始要求した支援者の仮想コイン総数から特典付与ゲーム開始条件に相当する仮想コイン数を減算して、管理記憶手段に更新記憶する。これにより、複数の支援者は、仮想コインを使用して特典付与ゲームを実行できる。
【００１５】
本発明に係る請求項３では、複数のアイドル候補生が使用する各アイドル候補生端末をネットワークで管理端末装置に接続する。
複数のアイドル候補生は、各アイドル候補生端末を使用して、アイドル候補生の個人情報、及びアイドル候補生の識別情報を入力する。各アイドル候補生端末において、候補生制御手段は、アイドル候補生の個人情報、及びアイドル候補生の識別情報を送信する、管理端末装置において、管理制御手段は、アイドル候補生の個人情報、及びアイドル候補生の識別情報を受信すると、管理記憶手段に記憶する。
これにより、各アイドル候補生は、アイドル候補生端末を使用して、アイドル候補生の個人情報及び識別情報を管理者端末装置に記憶して、登録できる。
【００１６】
本発明に係る請求項４では、複数の支援者は、各支援者端末を使用して、支援者の個人情報及び支援者の識別情報を入力する、各支援者端末において、支援制御手段は、支援者の個人情報及び識別情報を送信する。管理者端末装置において、管理制御手段は、支援者の個人情報及び識別情報を受信すると、管理記憶手段に記憶する。
これにより、各支援者は、支援者端末を使用して、支援者の個人情報及び識別情報を管理記憶手段に記憶して、登録できる。
【００１７】
本発明に係る請求項５では、複数の支援者は、各支援者端末を使用して、ゲーム総得点閲覧要求を入力する。各支援者端末において、支援制御手段は、ゲーム総得点閲覧要求を送信する。管理者端末装置において、管理制御手段は、ゲーム総得点閲覧要求を受信すると、各支援者の個人情報及び各支援者のゲーム総得点に基づいて、ゲーム総得点ランキング画像を構築して、支援制御手段に送信する。各支援者端末において、支援制御手段は、ゲーム総得点ランキング画像を受信すると、支援表示手段に表示する。
ゲーム総得点ランキング画像は、ゲーム総得点順位に各支援者の個人情報を対応付けてなるので、各支援者は、自己のゲーム総得点の順位を確認できる。
【００１８】
本発明に係る請求項６では、複数の支援者は、各支援者端末を使用して、得票総数閲覧要求を入力する。各支援者端末において、支援制御手段は、得票総数閲覧要求を送信する。管理者端末装置において、管理制御手段は、得票総数閲覧要求を受信すると、各アイドル候補生の得票総数及び各アイドル候補生の個人情報に基づいて、得票総数ランキング画像を構築して、支援制御手段に送信する。支援制御手段は、得票総数ランキング画像を受信すると、支援者表示手段に表示する。
得票総数ランキング画像は、得票総数順位に各アイドル候補生の個人情報を対応付けて成るので、各支援者は、自己の支援するアイドル候補生の得票総数の順位を確認できる。
【００１９】
本発明に係る請求項７では、複数の支援者は、各支援者端末を使用して、候補生プロフィール閲覧要求、及びプロフィール閲覧対象・アイドル候補生の識別情報を入力する。各支援者端末において、支援制御手段は、プロフィール閲覧要求及びプロフィール閲覧対象・アイドル候補生の識別情報を送信する。管理者端末装置において、管理制御手段は、プロフィール閲覧要求及びプロフィール閲覧対象・アイドル候補生の識別情報を受信すると、プロフィール閲覧対象・アイドル候補生の候補生プロフィール画像を構築して、支援制御手段に送信する。支援者制御手段は、候補生プロフィール画像を受信すると、支援表示手段に表示する。
候補生プロフィール画像は、プロフィール閲覧要求・アイドルの個人情報で成るので、各支援者は、特定のアイドル候補生の個人情報を閲覧できる。
【図面の簡単な説明】
【００２０】
【図１】アイドル候補生支援システムの全体ブロック図である。
【図２】管理サーバ端末及び管理データベースのブロック図である
【図３】ゲームサーバ端末のブロック図である。
【図４】管理者端末のブロック図である。
【図５】ファン支援者端末のブロック図である。
【図６】アイドル候補生端末のブロック図である。
【図７】ファン支援者個人情報テーブルを示す図である。
【図８】マイ候補生情報テーブルを示す図である。
【図９】アイドル候補生個人情報テーブルを示す図である。
【図１０】アイドル候補生得票総数情報テーブルを示す図である。
【図１１】アイドル候補生支援者総数情報テーブルを示す図である。
【図１２】ファン支援者ゲーム総得点情報テーブルを示す図である。
【図１３】マイ支援者情報テーブルを示す図である。
【図１４】ゲーム履歴情報テーブルを示す図である。
【図１５】運営ページ画像ファイル、支援者画像ファイル及び候補生画像ファイルを示す図である。
【図１６】支援者登録ページ画像を示す図である。
【図１７】候補生登録ページ画像を示す図である。
【図１８】ＬＯＧＩＮページ画像を示す図である。
【図１９】支援者トップページ画像を示す図である。
【図２０】支援者プロフィールページ画像を示す図である。
【図２１】仮想コイン購入トップページ画像を示す図である。
【図２２】アカウント情報ページ画像を示す図である。
【図２３】ゲームトップページ画像を示す図である。
【図２４】ゲーム画像を示す図である。
【図２５】投票権変換トップページ画像を示す図である。
【図２６】投票権変換入力ページ画像を示す図である。
【図２７】投票ページ画像を示す図である。
【図２８】得票総数ランキング一覧ページ画像（得票総数ランキング画像）を示す図である。
【図２９】支援者総数ランキング一覧ページ画像（支援者総数ランキング画像）を示す図である。
【図３０】ゲーム総得点ランキング一覧ページ画像（ゲーム総得点ランキング画像）を示す図である。
【図３１】投票権総数ランキング一覧ページ画像（投票権総数ランキング画像）を示す図である。
【図３２】マイ候補生一覧ページ画像を示す図である。
【図３３】候補生一覧ページ画像を示す図である。
【図３４】候補生プロフィールページ画像（候補生プロフィール画像）を示す図である。
【図３５】マイ支援者一覧ページ画像を示す図である。
【図３６】支援者端末及び管理者端末装置で実行される各種処理のフローチャート図である。
【図３７】アイドル候補生端末及び管理者端末装置で実行される各種処理のフローチャート図である。
【図３８】ファン支援者登録処理（ＳＴ１００）において、ファン支援者端末の実行するフローチャート図である。
【図３９】ファン支援者登録処理（ＳＴ１００）において、管理者端末装置（管理サーバ端末）の実行するフローチャート図である。
【図４０】アイドル候補生登録処理（ＳＴ１１００）において、アイドル候補生端末の実行するフローチャート図である。
【図４１】アイドル候補生登録処理（ＳＴ１１００）において、管理者端末装置（管理サーバ端末）の実行するフローチャート図である。
【図４２】支援者トップページ閲覧処理（ＳＴ２００）において、ファン支援者端末及び管理者端末装置（管理サーバ端末）の実行するフローチャート図である。
【図４３】支援者プロフィールページ閲覧処理（ＳＴ２５０）において、ファン支援者端末及び管理者端末装置（管理サーバ端末）の実行するフローチャート図である。
【図４４】仮想コイン購入処理（ＳＴ３００）において、ファン支援者端末の実行するフローチャート図である。
【図４５】仮想コイン購入処理（ＳＴ３００）において、管理者端末装置（管理サーバ端末）の実行するフローチャート図である。
【図４６】仮想コイン購入処理（ＳＴ３００）において、管理者端末装置（管理サーバ端末）の実行するフローチャート図である。
【図４７】仮想コイン購入処理（ＳＴ３００）において、決算会社端末の実行するフローチャート図である。
【図４８】ゲームトップページ閲覧処理（ＳＴ４００）において、ファン支援者端末及び管理者端末装置（管理サーバ端末）の実行するフローチャート図である。
【図４９】ゲーム実行処理（ＳＴ５００）において、支援者端末の実行するフローチャート図である。
【図５０】ゲーム実行処理（ＳＴ５００）において、管理者端末装置（管理サーバ端末）の実行するフローチャート図である。
【図５１】ゲーム実行処理（ＳＴ５００）において、管理者端末装置（ゲームサーバ端末）の実行するフローチャート図である。
【図５２】投票権変換処理（ＳＴ６００）において、ファン支援者端末の実行するフローチャート図である。
【図５３】投票権変換処理（ＳＴ６００）において、管理者端末装置（管理サーバ端末）の実行するフローチャート図である。
【図５４】投票処理（ＳＴ７００）において、ファン支援者端末の実行するフローチャート図である。
【図５５】投票処理（ＳＴ７００）において、管理者端末装置（管理サーバ端末）の実行するフローチャート図である。
【図５６】支援者用閲覧処理（ＳＴ８００）のランキングトップページ画像閲覧処理において、ファン支援者端末及び管理者端末装置（管理サーバ端末）の実行するフローチャート図である。
【図５７】支援者用閲覧処理（ＳＴ８００）の各種ランキング閲覧処理において、ファン支援者端末及び管理者端末装置（管理サーバ端末）の実行するフローチャート図である。
【図５８】支援者用閲覧処理（ＳＴ８００）のマイ候補生一覧閲覧処理、及び候補生一覧閲覧処理において、ファン支援者端末及び管理者端末装置（管理サーバ端末）の実行するフローチャート図である。
【図５９】支援者用閲覧処理（ＳＴ８００）の候補生プロフィール閲覧処理において、ファン支援者端末及び管理者端末装置（管理サーバ端末）の実行するフローチャート図である。
【図６０】マイ候補生追加処理（ＳＴ９００）において、ファン支援者端末及び管理者端末装置（管理サーバ端末）の実行するフローチャート図である。
【図６１】候補生用閲覧処理（ＳＴ１２００）の候補生プロフィール閲覧処理において、アイドル候補生端末及び管理者端末装置（管理サーバ端末）の実行するフローチャート図である。
【図６２】候補生用閲覧処理（ＳＴ１２００）のマイ支援者一覧閲覧処理において、アイドル候補生端末及び管理者端末装置（管理サーバ端末）の実行する風呂チャート図である。
【発明を実施するための形態】
【００２１】
本発明に係るアイドル候補生支援システムについて、図１乃至図６２を参照して説明する。
【００２２】
図１乃至図６２において、アイドル候補生支援システムＷは、デビュを目指す複数のアイドル候補生（アイドル希望者）を複数のファン支援者で支援する。
アイドル候補生支援システムＷは、各ファン支援者及び各アイドル候補生に利用され、各ファン支援者の各情報、及び各アイドル候補生の各情報をシステム管理者が運営・管理する。
アイドル候補生支援者システムＷは、主として特典付与ゲーム、及び各アイドル候補生への投票を実行・制御する。
【００２３】
以下、アイドル候補生支援システムＷの具体構成について、図１乃至図３５を参照して説明する。
【００２４】
図１乃至図６において、アイドル候補生支援システムＷは、複数のファン支援者端末Ｘ，Ｘ，…、管理者端末装置Ｙ，複数のアイドル候補生端末Ｚ，Ｚ，…を備える。
各ファン支援者端末Ｘ，Ｘ，…、及び管理者端末装置Ｙは、図１に示すように、インターネット等のネットワークＷＡＮ（Wide  Area  Network）及び管理者ネットワークＬＡＮ（Local  Area  Network）を通して接続する。各アイドル候補生端末Ｚ，Ｚ，…、及び管理者端末装置Ｙは、ネットワークＷＡＮ及び管理者ネットワークＬＡＮを通して接続する。
【００２５】
＜ファン支援者端末Ｘ＞
複数のファン支援者端末Ｘ，Ｘ，…は、複数のアイドル候補生を支援者する各ファン支援者が使用する通信情報端末である。
各ファン支援者端末Ｘ，Ｘ，…は、パーソナルコンピュータ、携帯情報端末（ＰＤＡ：Personal  Data  Assistance）等で構成され、携帯情報端末はタブレット端末、スマートフォン等を含む。
各ファン支援者端末Ｘ，Ｘ，…は、図５に示すように、支援者端末表示部１（支援表示手段）、支援者端末入力部２（支援入力手段）、支援者端末記憶部３（支援記憶手段）、及び支援者端末制御部５（支援制御手段）を備える。
【００２６】
支援者端末表示部１は、液晶パネル等で構成され、ウェブページ画像等の運営ページ画像、及びゲーム画像を表示する（図１６乃至図３５参照）。
【００２７】
支援者端末入力部２は、キーボード、マウス又はタッチパネル等で構成され、支援者の操作に基づいて、各種情報（要求）を支援者端末制御部５に入力する。
【００２８】
支援者端末記憶部３は、各種制御プログラム等を記憶する。
【００２９】
支援者端末制御部５は、ネットワークＷＡＮ、支援者端末表示部１、支援者端末入力部２及び支援者端末記憶部３に接続される。支援者端末制御部５は、中央演算処理装置（ＣＰＵ：Central  Processing  Unit）で構成され、各種制御プログラムを解析・実行してファン支援者端末Ｚ全体を制御する。
【００３０】
＜管理者端末装置Ｙ＞
管理者端末装置Ｙは、システム管理者が運営・管理する通信情報端末である。
管理者端末装置Ｙは、図１乃至図４に示すように、管理記憶手段ＤＢ、管理制御手段Ｙ１、及び管理者端末Ｙ２を備える。
【００３１】
＜管理記憶手段ＤＢ＞
管理記憶手段ＤＢは、例えば、管理データベース（以下、「管理データベースＤＢ」と称する）で構成され、各ファン支援者に関する各種情報、及び各アイドル候補生に関する各種情報を格納して記憶する。
【００３２】
管理データベースＤＢは、図７乃至図１４に示すように、各ファン支援者に関する各種情報、及び各アイドル候補生に関する各種情報を複数の情報テーブルに区画して記憶する。
管理データベースＤＢにおいて、各情報テーブルは、ファン支援者個人情報テーブルＴＢ１（図７参照）、複数のマイ候補生情報テーブルＴＢ２．１，ＴＢ２．２，ＴＢ２．３，…（図８参照）、アイドル候補生個人情報テーブルＴＢ３（図９参照）、アイドル候補生得票総数情報テーブルＴＢ４（図１０参照）、アイドル候補生支援者総数情報テーブルＴＢ５（図１１参照）、ファン支援者ゲーム総得点情報テーブルＴＢ６（図１２参照）、複数のマイ支援者情報テーブルＴＢ７．１，ＴＢ７．２，ＴＢ７．３，…（図１３参照）、及び複数のゲーム履歴情報テーブルＴＢ８．１，ＴＢ８．２，ＴＢ８．３，…（図１４参照）を備えて構成される。
なお、各ファン支援者に関する各情報、及び各アイドル候補生に関する各情報は、単一の情報テーブルに格納して記憶しても良く、情報テーブルの区画数及び構成は任意に設定できる。
【００３３】
管理データベースＤＢにおいて、ファン支援者個人情報テーブルＴＢ１は、図７に示すように、各ファン支援者の個人情報を格納して記憶する。
情報テーブルＴＢ１は、「支援者ユーザ名（ファン支援者の識別情報）」、「パスワード」、「ニックネーム」、「都道府県」、「性別」、「生年月日」、及び「支援者画像ファイル番号／画像識別番号」を記憶する。情報テーブルＴＢ１は、各「支援者ユーザ名」に、「パスワード」、「ニックネーム」、「都道府県」、「性別」、「生年月日」及び「支援者画像ファイル番号／画像識別番号」を対応付けて格納する。
【００３４】
管理データベースＤＢにおいて、複数のマイ候補生情報テーブルＴＢ２．１，ＴＢ２．２，ＴＢ２．３，…は、図８に示すように、各ファン支援者が支援するアイドル候補生の情報を格納して記憶する。
各情報テーブルＴＢ２．１，ＴＢ２．２，ＴＢ２．３，…は、各「支援者ユーザ名」に対応して割当てられる。例えば、情報テーブルＴＢ２．１は、「支援者ユーザ名：A＠gmail.com」に割当られ、「候補生ユーザ名（アイドル候補生の識別情報）」、「名前」、「身長」、「年齢」、「個別投票総数」及び「候補生画像ファイル番号／画像識別番号」を格納して記憶する。他の各情報テーブルＴＢ２．２，ＴＢ２．３，…も同様に、各「支援者ユーザ名」に割当られ、「候補生コード」、「名前」、「身長」、「年齢」、「個別投票総数」及び「候補生画像ファイル番号／画像識別番号」を格納して記憶する。
各情報テーブルＴＢ２．１，ＴＢ２．２，ＴＢ２．３，…は、各「候補生ユーザ名」に、「名前」、「身長」、「年齢」、「個別投票総数」及び「候補生画像ファイル番号／画像識別番号」を対応付けて格納する。「個別投票総数」は、ファン支援者が個別に各ファン候補生に投票した総数である。
【００３５】
管理データベースＤＢにおいて、アイドル候補生個人情報テーブルＴＢ３は、図９に示すように、各アイドル候補生の個人情報を格納して記憶する。
情報テーブルＴＢ３は、「候補生ユーザ名」、「パスワード」、「名前」、「性別」、「ニックネーム」、「出身地」、「生年月日」、「血液型」、「身長」、「Ｂ／Ｗ／Ｈ」、「職業」、「年齢」、「候補生画像ファイル番号／画像識別番号」、及び「登録年月日」を格納（記憶）する。
情報テーブルＴＢ３は、各「候補生ユーザ名」に、「パスワード」、「名前」、「性別」、「ニックネーム」、「出身地」、「生年月日」、「血液型」、「身長」、「Ｂ／Ｗ／Ｈ」、「職業」、「年齢」、「候補生画像ファイル番号／画像識別番号」及び「登録年月日」を対応付けて格納する。「Ｂ／Ｗ／Ｈ」はアイドル候補生のバスト、ウエスト、ヒップのスリーサイズ情報である。
【００３６】
管理データベースＤＢにおいて、アイドル候補生得票総数情報テーブルＴＢ４は、図１０に示すように、各アイドル候補生が獲得した得票総数情報を格納して記憶する。
情報テーブルＴＢ４は、「候補生ユーザ名」及び「得票総数」を格納（記憶）する。情報テーブルＴＢ４は、各「候補生ユーザ名」に、「得票総数」を対応付けて格納する。
【００３７】
管理データベースＤＢにおいて、アイドル候補生支援者総数情報テーブルＴＢ５は、図１１に示すように、各アイドル候補生を支援するファン支援者総数情報を格納して記憶する。
情報テーブルＴＢ５は、「候補生ユーザ名」、「支援者総数」及び「候補生画像ファイル番号／画像識別番号」を格納（記憶）する。情報テーブルＴＢ５は、各「候補生ユーザ名」に、「支援者総数」及び「候補生画像ファイル番号／画像識別番号」を対応付けて格納する。
【００３８】
管理データベースＤＢにおいて、ファン支援者ゲーム総得点情報テーブルＴＢ６は、図１２に示すように、各ファン支援者が特典付与ゲームで獲得したゲーム総得点情報を格納して記憶する。
情報テーブルＴＢ５は、「支援者ユーザ名」、「ゲーム総得点」、「投票権総数」、「投票総数」、「仮想コイン総数」及び「支援者画像ファイル番号／画像識別番号」を格納（記憶）する。
情報テーブルＴＢ５は、各「支援者ユーザ名」に、「ゲーム総得点」、「投票権総数」、「投票総数」、「仮想コイン総数」及び「支援者画像ファイル番号／画像識別番号」を対応付けて格納する。「投票権総数」は、ファン支援者が各アイドル候補生に投票できる投票権の総数、「投票総数」は全ファン支援者が各アイドル候補生に投票した総数、及び「仮想コイン総数」は特典付与ゲームを実行する対価となる仮想コインの総数である。
【００３９】
管理データベースＤＢにおいて、複数のマイ支援者情報テーブルＴＢ７．１，ＴＢ７．２，ＴＢ７．３，…は、図１３に示すように、アイドル候補生を支援するファン支援者の情報を格納して記憶する。
各情報テーブルＴＢ７．１，ＴＢ７．２，ＴＢ７．３，…は、各「候補生ユーザ名」に対応して割当られる。例えば、情報テーブルＴＢ７．１は、「候補生ユーザ名：OG＠GMAIL.COM」に割当られ、「支援者ユーザ名」、「ニックネーム」、「得票総数」及び「支援者画像ファイル番号／画像識別番号」を格納（記憶）する。他の各情報テーブルＴＢ７．２，ＴＢ７．３，…も同様に、各「候補生ユーザ名」に割当てられ、「支援者ユーザ名」、「ニックネーム」、「投票総数」及び「支援者画像ファイル番号／画像識別番号」を格納（記憶）する。
各情報テーブルＴＢ７．１，ＴＢ７．２，ＴＢ７．３，…は、各「支援者ユーザ名」に、「ニックネーム」、「投票総数」及び「支援者画像ファイル番号／画像識別番号」を対応付けて格納する。
【００４０】
管理データベースＤＢにおいて、複数のゲーム履歴情報テーブルＴＢ８．１，ＴＢ８．２，ＴＢ８．３，…は、図１４に示すように、各ファン支援者の特典付与ゲームの履歴情報を格納して記憶する。
各情報テーブルＴＢ８．１，ＴＢ８．２，ＴＢ８．３，…は、各「支援者ユーザ名」に対応して割当られる。例えば、情報テーブルＴＢ８．１は、「支援者ユーザ名：A＠gmail.com」に割当られ、「ゲームコード」、「ゲーム得点（累計）」、及び「ゲーム実行総時間（累計）」を格納（記憶）する。他の各情報テーブルＴＢ８．２，ＴＢ８．３，…も同様に、各「支援者ユーザ名」に割当られ、「ゲームコード」、「ゲーム得点（累計）」及び「ゲーム実行総時間（累計）」を格納する。
各情報データＴＢ８．１，ＴＢ８．２，ＴＢ８．３，…は、各「ゲームコード」に、「ゲーム得点数（累計）」及び「ゲーム実行総時間（累計）」を対応付けて格納する。
「ゲームコード」は、各種の特典付与ゲーム（ゲーム制御プログラム）に付される識別番号ＧＭ１，ＧＭ２，…である。
【００４１】
＜管理制御手段Ｙ１＞
管理制御手段Ｙは、図１乃至図３に示すように、管理サーバ端末Ｙ３、及びゲームサーバ端末Ｙ４を備える。
【００４２】
＜管理サーバ端末Ｙ３＞
管理サーバ端末Ｙ３は、図１に示すように、Ｆ／Ｗ（ファイアウォール）及び管理者ネットワークＬＡＮを通してネットワークＷＡＮ及び管理データベースＤＢに接続する。
管理サーバ端末Ｙ３は、管理者ネットワークＬＡＮを通してゲームサーバ端末Ｙ４に接続する。
管理サーバ端末Ｙ３は、Ｆ／Ｗ及び管理者ネットワークＬＡＮを通して管理者端末Ｙ２に接続する。
【００４３】
管理サーバ端末Ｙ３は、図２に示すように、管理サーバ画像記憶部１１、管理サーバ記憶部１２、管理サーバ画像合成部１３、及び管理サーバ制御部１４を備える。
【００４４】
管理サーバ画像記憶部１１は、ウェブページ画像等の運営ページ画像データを構築する基礎画像データ、及び文字、数字等の記号画像データを格納して記憶する。
管理サーバ画像記憶部１１は、各支援者画像データ、及び各候補生画像データを格納して記憶する。
管理サーバ画像記憶部１１は、図１５に示すように、運営ページ画像ファイルＧＦ、複数の支援者画像ファイルＳＧＦ１，ＳＧＦ２，ＳＧＦ３，…、及び複数の候補生画像ファイルＡＧＦ１，ＡＧＦ２，ＡＧＦ３，…を備える。
【００４５】
運営ページ画像ファイルＧＰは、ウェブページ画像等の運営ページ画像データを構築する基礎画像データ、及び文字、数字等の記号画像データを格納して記憶する。
運営ページ画像データは、ウェブページ（ホームページ）画像データ、支援者登録ページ画像データ（図１６参照）、候補生登録ページ画像データ（図１７参照）、ＬＯＧＩＮページ画像データ（図１８参照）、支援者トップページ画像データ（図１９参照）、支援者プロフィールページ画像データ（図２０参照）、仮想コイン購入トップページ画像データ（図２１参照）、アカウント情報ページ画像データ（図２２参照）、ゲームトップページ画像データ（図２３参照）、ゲーム画像データ（図２４参照）、投票権変換トップページ画像データ（図２５参照）、投票権変換入力ページ画像データ（図２６参照）、投票ページ画像データ（図２７参照）、得票総数ランキング一覧ページ画像データ（図２８参照）、支援者総数ランキング一覧ページ画像データ（図２９参照）、ゲーム総得点ランキング一覧ページ画像データ（図３０参照）、投票権総数ランキング一覧ページ画像データ（図３１参照）、マイ候補生一覧ページ画像データ（図３２参照）、候補生一覧ページ画像データ（図３３参照）、候補生プロフィールページ画像データ（図３４参照）、及びマイ支援者一覧ページ画像データ（図３５参照）でなる。
【００４６】
複数の支援者画像ファイルＳＧＦ１，ＳＧＦ２，ＳＧＳ３，…は、図１５に示すように、各支援者ユーザ名に対応して割当てられる。例えば、支援者画像ファイルＳＧＦ１は、「支援者ユーザ名：A＠gmail.com」に割当られ、「支援者ユーザ名：A＠gmail.com」に対応する支援者の支援者画像データＧ１を格納する。他の各支援者画像ファイルＳＧＦ２，ＳＧＦ３，…も同様に、各支援者ユーザ名に割当られ、各支援者ユーザ名に対応する支援者の支援者画像データを格納する。
各支援者画像ファイルＳＧＦ１，ＳＧＦ２，ＳＧＦ３，…は、支援者画像データＧ１，Ｇ２，Ｇ３，…に識別番号Ａ，Ｂ，…を付して記憶する。
支援者画像データＧ１，Ｇ２，Ｇ３，…は、支援者の上半身写真画像データ、又は上半身キャラクタ等のアバタ画像データである。
なお、各支援者画像データＧ１，Ｇ２，Ｇ３，…（各支援者画像ファイルＳＧ１，ＳＧ２，ＳＧ３，…）は、管理データベースＤＢに格納して記憶しても良い。
【００４７】
複数のアイドル候補生画像ファイルＡＧＦ１，ＡＧＦ２，ＡＧＦ３，…は、図１５に示すように、各「候補生ユーザ名」に対応して割当られる。例えば、アイドル候補生ファイルＡＧＦ１は、「候補生ユーザ名：OG＠GMAIL.COM」に割当られ、「候補生ユーザ名：OG＠GMAIL.COM」に対応するアイドル候補生の候補生画像データＧＡを格納する。他の各アイドル候補生ファイルＡＧＦ２，ＡＧＦ３，…も同様に、各「候補生ユーザ名」に割当され、各候補生ユーザ名に対応するアイドル候補生の候補生画像データＧＢ，ＧＣ，…を格納する。
各アイドル候補生ファイルＡＧＦ１，ＡＧＦ２，ＡＧＦ３，…は、候補生画像データＧＡ，ＧＢ，ＧＣ，…に識別番１，２，３，…を付して格納する。
候補生画像データＧＡ，ＧＢ，ＧＣ，…は、アイドル候補生の上半身写真画像データ、又は上半身キャラクタ等のアバタ画像データである。
管理サーバ画像記憶部１１は、各支援者画像データＧ１，Ｇ２，…及び各候補生画像データＧＡ，ＧＢ，…を記憶することで、管理データベースＤＢの一部を構成する。
なお、各アイドル候補生の候補生画像データＧＡ，ＧＢ，ＧＣ，…（アイドル候補生画像ファイルＡＧＦ１，ＡＧＦ２，ＡＧＦ３，…）は、管理データベースＤＢに格納して記憶しても良い。
【００４８】
管理サーバ記憶部１２は、各種制御プログラムを格納して記憶し、及び各種情報を記憶する。
【００４９】
管理サーバ画像合成部１３は、運営ページ画像の基礎画像データ、記号画像データ及び各支援者画像データＧ１，Ｇ２，Ｇ３，…又は各候補生画像データＧＡ，ＧＢ，ＧＣ，…を合成して、運営ページ画像データを構築する。
【００５０】
管理サーバ制御部１４は、図２に示すように、管理サーバ画像記憶部１１、管理サーバ記憶部１２及び管理サーバ画像合成部１３に接続する。
管理サーバ制御部１４は、Ｆ／Ｗ及び管理者ネットワークＬＡＮを通してネットワークＷＡＮ及び管理データベースＤＢに接続する。
管理サーバ制御部１４は、中央演算処理装置（ＣＰＵ：Central  Processing  Unit）で構成され、各種制御プログラムを解析・実行して管理サーバ端末Ｙ３全体を制御する。
【００５１】
＜ゲームサーバ端末Ｙ４＞
ゲームサーバ端末Ｙ４は、図１に示すように、Ｆ／Ｗ（ファイアウォール）及び管理者ネットワークＬＡＮを通してネットワークＷＡＮに接続する。
ゲームサーバ端末Ｙ４は、管理者ネットワークＬＡＮを通して管理サーバ端末Ｙ３に接続する。
【００５２】
ゲームサーバ端末Ｙ４は、図３に示すように、ゲームサーバ画像記憶部２１、ゲームサーバ記憶部２２、ゲームサーバ画像合成部２３、及びゲームサーバ制御部２４を備える。
【００５３】
ゲームサーバ画像記憶部２１は、各種の特典付与ゲームについて、ゲーム画像データを構築する基礎ゲーム画像データ及び文字、数字等の記号画像データを格納して記憶する。
【００５４】
ゲームサーバ記憶部２２は、各種の特典付与ゲームについて、ゲーム制御プログラムを格納して記憶し、及び各種情報を記憶する。
【００５５】
ゲームサーバ画像合成部２３は、基礎ゲーム画像データ及び記号画像データを合成して、ゲーム画像データを構築する（図２４参照）。
【００５６】
ゲームサーバ制御部２４は、図３に示すように、ゲームサーバ画像記憶部２１、ゲームサーバ記憶部２２及びゲームサーバ画像合成部２３に接続する。
ゲームサーバ制御部２４は、管理者ネットワークＬＡＮを通して管理サーバ端末Ｙ３に接続し、Ｆ／Ｗ及び管理者ネットワークＬＡＮを通してネットワークＷＡＮに接続する。
ゲームサーバ制御部２４は、中央演算処理装置（ＣＰＵ：Central  Processing  Unit）で構成され、ゲーム制御プログラムを解析・実行してゲームサーバ端末Ｙ４全体を制御する。
【００５７】
＜管理者端末Ｙ２＞
管理者端末Ｙ２は、システム管理者が使用する通信情報端末である。
管理者端末Ｙ２は、例えば、パーソナルコンピュータで構成され、図４に示すように、管理者端末表示部３１、管理者端末記憶部３２、管理者端末入力部３３及び管理者端末制御部３４を備える。
【００５８】
管理者端末表示部３１は、液晶パネル等で構成され、各種画像データを表示する。
【００５９】
管理者端末記憶部３２は、各種情報を記憶する。管理者端末入力部３３は、キーボード、マウス等で構成され、各種情報を管理端末制御部３４に入力する。
【００６０】
管理者端末制御部３４は、図１及び図４に示すように、管理者ネットワークＬＡＮを通して管理データベースＤＢに接続する。管理者端末制御部３４は、Ｆ／Ｗ及び管理者ネットワークＬＡＮを通して管理サーバ端末Ｙ３及びゲームサーバ端末Ｙ４に接続する。
管理者端末制御部３４は、中央演算処理装置（ＣＰＵ：Central  Processing  Unit）で構成され、各種制御プログラムを解析・実行して管理者端末Ｙ２全体を制御する。
【００６１】
管理者端末Ｙ２において、システム管理者は、管理者端末入力部３３を操作して、ウェブページ画像等の運営ページ画像を構築する基礎画像データ及び記号画像データを入力し、基礎画像データ等を管理サーバ端末Ｙ３の管理サーバ画像記憶部１１の運営ページ画像ファイルＧＦに記憶する。また、システム管理者は、管理者端末入力部３３を操作して、ゲーム画像を構築する基礎画像データ、記号画像データ及び各ゲーム制御プログラムを入力し、基礎ゲーム画像データ等をゲームサーバ画像記憶部２１に記憶し、各ゲーム制御プログラムをゲームサーバ記憶部２２に記憶する。
【００６２】
管理者端末Ｙ２において、システム管理者は、管理者端末入力部３３を操作して、管理データベースＤＢから各情報テーブルを読出し、各アイドル候補生に関する各種情報又は各ファン支援者に関する各種情報を管理者端末表示部３１に表示する。
これにより、システム管理者は、各アイドル候補生に関する各種情報、特に、各アイドル候補生の得票総数、支援者総数を認識でき、アイドル候補生をデビュさせる指針にできる。
【００６３】
＜アイドル候補生端末Ｚ＞
複数のアイドル候補生端末Ｚ，Ｚ，…は、アイドルを目指す各アイドル候補生（アイドル希望者）が使用する通信情報端末である。
各アイドル候補生端末Ｚ，Ｚ，…は、例えば、パーソナルコンピュータ、携帯情報端末（ＰＤＡ：Personal  Data  Assistance）で構成され、携帯情報端末はタブレット端末、スマートフォンを含む。
各アイドル候補生端末Ｚ，Ｚ，…は、図６に示すように、候補生端末表示部５１（候補生表示手段）、候補生端末入力部５２（候補生入力手段）、候補生端末記憶部５３（候補生記憶手段）及び候補生端末制御部５４（候補生制御手段）を備える。
【００６４】
候補生端末表示部５１は、液晶パネル等で構成され、ウェブページ画像等の運営ページ画像（図３４及び図３５参照）を表示する。
【００６５】
候補生端末入力部５２は、キーボード、マウス、タッチパネル等で構成され、アイドル候補生の操作に基づいて、各種情報を候補生端末制御部５４に入力する。
【００６６】
候補生端末記憶部５３は、各種制御プログラム等を格納して記憶する。
【００６７】
候補生端末制御部５４は、図６に示すように、ネットワークＷＡＮ、候補生端末表示部５１、候補生端末入力部５２及び候補生端末記憶部５３に接続する。
候補生端末制御部５４は、中央演算処理装置（ＣＰＵ：Central  Processing  Unit）で構成され、各種制御プログラムを解析・実行してアイドル候補生端末Ｚ全体を制御する。
【００６８】
＜アイドル候補生支援システムＷの各種処理＞
次に、アイドル候補生支援システムＷが実行する各種処理について、図１乃至図６２を参照して説明する。
【００６９】
図３６において、一又は複数のファン支援者端末Ｘ，Ｘ，…、及び管理者端末装置Ｙ（管理サーバ端末Ｙ３、ゲームサーバ端末Ｙ４）は、ファン支援者登録処理（ＳＴ１００）、支援者トップページ閲覧処理（ＳＴ２００）、支援者プロフィール閲覧処理（ＳＴ２５０）、仮想コイン購入処理（ＳＴ３００）、ゲームトップページ閲覧処理（ＳＴ４００）、ゲーム実行処理（ＳＴ５００）、投票権変換処理（ＳＴ６００）、投票処理（ＳＴ７００）、支援者用閲覧処理（ＳＴ８００）、マイ候補生追加処理（ＳＴ９００）を実行する。
【００７０】
図３７において、一又は複数のアイドル候補生端末Ｚ，Ｚ，…、及び管理者端末装置Ｙ（情報管理サーバ端末Ｙ３）は、アイドル候補生登録処理（ＳＴ１１００），及び候補生用閲覧処理（ＳＴ１２００）を実行する。
【００７１】
＜ファン支援者登録処理：ＳＴ１００＞
ファン支援者登録処理：ＳＴ１００は、各ファン支援者の個人情報を管理者端末装置Ｙ（管理データベースＤＢ）に格納（記憶）して、各ファン支援者Ｆ１，Ｆ２，Ｆ３，…を登録する。
【００７２】
各ファン支援者端末Ｘ，Ｘ，…において、各ファン支援者は、図５に示すように、支援者端末入力部２を操作して、システムＵＲＬ（Uniform  Resource  Locator）にリンク（指定）する。
これにより、各ファン支援者端末Ｘ，Ｘ，…及び管理者端末装置Ｙ（管理サーバ端末Ｙ３）は、ネットワークＷＡＮ及び管理者ネットワークＬＡＮを通して接続される。
各ファン支援者端末Ｘ，Ｘ，…は、端末識別ＩＤを管理サーバ端末Ｙ３に送信し、管理サーバ端末制御部１４は、各端末識別ＩＤに基づいて、各ファン支援者端末Ｘ，Ｘ，…を識別する。
【００７３】
管理サーバ端末Ｙ３において、管理サーバ制御部１４は、ウェブページ画像要求を管理サーバ画像合成部１３に出力し、管理サーバ画像合成部１３は、運営ページ画像ファイルＧＦから基礎画像データ及び記号画像データを読出して、ウエッブページ画像データを構築（合成）する。
管理サーバ制御部１４は、各端末情報ＩＤに基づいて、ウェブページ画像データを各ファン支援者端末（ＵＲＬリンクしたファン支援者端末）Ｘ，Ｘ，…に送信する（図３９：ＳＴ１０５）。
【００７４】
各ファン支援者端末Ｘ，Ｘ，…において、支援者端末制御部５は、ウェブページ画像データを受信すると、ウェブページ画像（図示しない）を支援者端末表示部１に表示する（図３８：ＳＴ１０１）。
【００７５】
続いて、各ファン支援者端末Ｘ，Ｘ，…において、各ファン支援者は、支援者端末入力部２を操作して、ウェブページ画像（図示しない）で支援者登録要求を入力する。
支援者端末制御部５は、各支援者の入力操作（登録要求）に基づいて、支援者登録要求を管理サーバ端末Ｙ３に送信する（図３８：ＳＴ１０２）。
【００７６】
管理サーバ端末Ｙ３において、管理サーバ制御部１４は、支援者登録要求を受信すると（図３９：ＳＴ１０６）、支援者登録画像要求を管理サーバ画像合成部１３に出力する。
管理サーバ画像合成部１３は、運営ページファイルＧＦから基礎画像データ及び記号画像データを読出して、支援者登録ページ画像データを構築（合成）する。
管理サーバ制御部１４は、各端末認識ＩＤに基づいて、支援者登録ページ画像データを各ファン支援者端末（登録要求したファン支援者端末）Ｘ，Ｘ，…に送信する（図３９：ＳＴ１０７）。
【００７７】
各ファン支援者端末Ｘ，Ｘ，…において、支援者端末制御部５は、支援者登録ページ画像データを受信すると、図１６に示すように、支援者登録ページ画像ＧＺ１を支援者端末表示部１に表示する（図３８：ＳＴ１０３）。
支援者登録ページ画像ＧＺ１は、図１６に示すように、「登録入力情報」欄ＧＺ１．１及び「登録」ＧＺ１．２を表示する。「登録入力情報」欄ＧＺ１．１は、「ユーザ名」、「パスワード」、「ニックネーム」、「都道府県」、「性別」及び「生年月日」を表示して構成される。
【００７８】
各ファン支援者端末Ｘ，Ｘ，…において、各ファン支援者Ｆ１，Ｆ２，Ｆ３は、支援者端末入力部２を操作して、支援者登録ページ画像ＧＺ１で「登録入力情報」ＧＺ１．１に支援者の個人情報を入力して、「登録」ＧＺ１．２を操作（リンク）する。
ファン支援者の個人情報は、「パスワード」、「ニックネーム」、「都道府県」、「性別」、「生年月日」及び「支援者画像データ」の全部又は一部で構成される。「支援者ユーザ名」は、ファン支援者の識別情報である。
例えば、ファン支援者Ｆ１は、「支援者ユーザ名：A＠gmail.com」、「パスワード：90125yyy」、「ニックネーム：うさぎ」、「都道府県：大阪府」、「性別：男」、「生年月日：1995.12.22」及び「支援者画像データＧ１」を入力する。
支援者端末制御部５は、ファン支援者の入力操作（個人情報入力）に基づいて、「支援者ユーザ名」及び支援者の個人情報を管理サーバ端末Ｙ３に送信する（図３８：ＳＴ１０４）。
【００７９】
管理サーバ端末Ｙ３において、管理サーバ制御部１４は、「支援者ユーザ名」及び支援者の個人情報を受信すると（図３９：ＳＴ１０８）、管理サーバ画像記憶部１１、及び管理データベースＤＢに記憶して、各ファン支援者を登録する（図３９：ＳＴ１０９）。
管理サーバ制御部１４は、図１５に示すように、各支援者画像データを各支援者画像ファイルＳＧＦ１，ＳＧＦ２，…に格納して、管理サーバ端末画像記憶部１１に記憶する。このとき、管理サーバ制御部１４は、各「支援者ユーザ名」に対応して各支援者画像ファイルＳＧＦ１，ＳＧＦ２，…を割当て、各支援者画像データＧ１，Ｇ２，…に識別番号Ａ，Ｂ，…を付して格納する。
例えば、管理サーバ制御部１４は、「支援者ユーザ名：A＠gmail.com」に対応付けて、支援者画像ファイルＳＧＦ１を割当て、支援者画像データＧ１に識別番号Ａを付して支援者画像ファイルＳＧＦ１に格納する。
【００８０】
管理サーバ制御部１４は、図７に示すように、「支援者ユーザ名」、「パスワード」、「ニックネーム」、「都道府県」、「性別」、「生年月日」及び「支援者画像ファイル番号／画像識別番号」をファン支援者個人情報テーブルＴＢ１に格納して記憶する（図３９：ＳＴ１０９）。
例えば、管理サーバ制御部１４は、「支援者ユーザ名：A＠gmail.com」に対応付けて、「パスワード：90125yyy」、「ニックネーム：うさぎ」、「都道府県：大阪府」、「性別：男」、「生年月日：1995.12.22」及び「支援者画像ファイルＳＧＦ１／画像識別番号Ａ」をファン支援者個人情報テーブルＴＢ１に記憶する。
【００８１】
これにより、管理者端末装置Ｙにおいて、管理サーバ端末Ｙ３は、「支援者ユーザ名」及びファン支援者の個人情報を管理データベースＤＢ及び管理サーバ画像記憶部１１に記憶して、各ファン支援者を登録する。
なお、管理サーバ端末Ｙ３において、管理サーバ制御部１４は、既にファン支援者の個人情報がファン支援者個人情報テーブルＴＢ１に記憶されていると、ファン支援者登録を実行することなく、登録済情報を各ファン支援端末Ｘ，Ｘ，…に送信する。
【００８２】
＜アイドル候補生登録処理：ＳＴ１１００＞
アイドル候補生登録処理：ＳＴ１００は、デビュを目指すアイドル候補生（アイドル希望者）の個人情報を管理者端末装置Ｙ（管理データベースＤＢ）に記憶（格納）して、各アイドル候補生を登録する。
【００８３】
各アイドル候補生端末Ｚ，Ｚ，…において、各アイドル候補生は、候補生端末入力部５２を操作して、システムＵＲＬにリンク（指定）する。
これにより、各アイドル候補生端末Ｚ，Ｚ，…、及び管理者端末装置Ｙ（管理サーバ端末Ｙ３）は、ネットワークＷＡＮ及び管理者ネットワークＬＡＮを通して接続される。
各アイドル候補生端末Ｚ，Ｚ，…は、端末識別ＩＤを管理サーバ端末Ｙ３に送信し、管理サーバ制御部１４は、各端末識別ＩＤに基づいて、各アイドル候補生端末Ｚ，Ｚ，…を識別する。
【００８４】
管理サーバ端末Ｙ３において、管理サーバ制御部１４は、ファン支援者登録処理（ＳＴ１００）と同様に、各端末識別ＩＤに基づいて、ウェブページ画像データを各アイドル候補生端末Ｚ，Ｚ，…に送信する（図４１：ＳＴ１１０５）。
【００８５】
各アイドル候補生端末Ｚ，Ｚ，…において、候補生端末制御部５４は、ウェブページ画像データを受信すると、ウェブページ画像（図示しない）を候補生端末表示部５１に表示する（図４０：ＳＴ１１０１）。
【００８６】
続いて、各アイドル候補生端末Ｚ，Ｚ，…において、各アイドル候補生は、候補生端末入力部５２を操作して、ウェブページ画像（図示しない）で候補生登録要求を入力する。
アイドル候補生端末制御部５４は、各アイドル候補生の入力操作（登録要求）に基づいて、候補生登録要求を管理サーバ端末Ｙ３に送信する（図４０：ＳＴ１１０２）。
【００８７】
管理サーバ端末Ｙ３において、管理サーバ制御部１４は、候補生登録要求を受信すると（図４１：ＳＴ１１０６）、候補生登録ページ要求を管理サーバ画像合成部１３に出力する。
管理サーバ画像合成部１３は、運営ページ画像ファイルＧＦから基礎画像データ及び記号画像データを読出して、候補生登録ページ画像データを構築（合成）する。
管理サーバ制御部１４は、各端末識別ＩＤに基づいて、候補生登録ページ画像データを各アイドル候補生端末（登録要求したアイドル候補生端末）Ｚ，Ｚ，…に送信する（図４０：ＳＴ１１０７）。
【００８８】
各アイドル候補生端末Ｚ，Ｚ，…において、候補生端末制御部５４は、候補生登録ページ画像データを受信すると、図１７に示すように、候補生登録ページ画像ＧＺ２をアイドル候補生端末表示部５１に表示する（図４０：ＳＴ１１０３）。
候補生登録ページＧＳ２は、図１７に示すように、「登録入力情報」欄ＧＺ２．１及び「登録」ＧＺ２．２を表示する。「登録入力情報」欄ＧＺ２．１は、「ユーザ名」、「パスワード」、「名前」、「ニックネーム」、「出身地（都道府県）」、「性別」、「生年月日」、「血液型」、「身長」、「Ｂ／Ｗ／Ｈ」、「職業」、及び「登録」ＧＺ２．２を表示して構成される。
【００８９】
続いて、各アイドル候補生端末Ｚ，Ｚ，…において、各アイドル候補生は、候補生端末入力部５２を操作して、候補生登録ページ画像ＧＺ２で「登録入力情報」ＧＺ２．１に各アイドル候補生の個人情報を入力して、「登録」ＧＺ２．２を操作（リンク）する。
アイドル候補生の個人情報は、「パスワード」、「名前」、「携帯・電話」、「ニックネーム」、「出身地」、「生年月日」、「血液型」、「身長」、「Ｂ／Ｗ／Ｈ」、「職業」、「年齢」及び「候補生画像データ」の全部又は一部で構成される。「候補生ユーザ名」は、アイドル候補生の識別情報である。
例えば、アイドル候補生Ａ１は、「候補生ユーザ名：GO＠GMAIL.COM」、「パスワード：46716ge」、「名前：GK  CKK」、「携帯・電話：090-xxx」、「ニックネーム：マリリン」、「出身地：長野県」、「生年月日：1998.02.17」、「血液型：O」、「身長：158」、「Ｂ／Ｗ／Ｈ：80/64/83」、「職業：学生」、「年齢：14」及び候補生画像データＧＡを入力する。
候補生端末制御部５４は、アイドル候補生の入力操作（個人情報入力）に基づいて、「候補生ユーザ名」及び候補生の個人情報を管理サーバ端末Ｙ３に送信する（図４０：ＳＴ１１０４）。
【００９０】
管理サーバ端末Ｙ３において、管理サーバ制御部１４は、「候補生ユーザ名」及び候補生の個人情報を受信すると（図４１：ＳＴ１１０８）、管理サーバ画像記憶部１１、及び管理データベースＤＢに記憶して、各アイドル候補生を登録する（図４１：ＳＴ１１０９）。
このとき、管理サーバ制御部１４は、図１５に示すように、各候補生ユーザ名に対応して各候補生画像ファイルＡＧＦ１，ＡＧＦ２，ＡＧＦ３，…を割当て、各候補生画像データＧＡ，ＧＢ，ＧＣ，…に識別番号１，２，…を付して格納（記憶）する。
例えば、管理サーバ制御部１４は、「候補生ユーザ名：GO＠GMAIL.COM」に対応付けて、候補生画像ファイルＡＧＦを割当て、候補生画像データＧＡに識別番号１を付して候補生画像ファイルＡＧＦ１に格納（記憶）する。
【００９１】
管理サーバ制御部１４は、図９に示すように、各アイドル候補生の「候補生ユーザ名」、「パスワード」、「名前」、「性格」、「ニックネーム」、「出身地」、「生年月日」、「血液型」、「身長」、「Ｂ／Ｗ／Ｈ」、「職業」、「年齢」、「候補生画像ファイル番号／画像識別番号」及び「登録年月日」をアイドル候補生個人情報テーブルＴＢ３に格納して記憶する。
例えば、管理サーバ制御部１４は、「候補生ユーザ名：GO＠GMAIL.COM」に対応付けて、「パスワード：46716ge」、「名前：GK  CKK」、「携帯・電話：090-xxx」、「ニックネーム：マリリン」、「出身地：長野県」、「生年月日：1998.02.17」、「血液型：O」、「身長：158」、「Ｂ／Ｗ／Ｈ：80/64/83」、「職業：学生」、「年齢：14」、「候補生画像ファイル／画像識別：ＡＧＦ１／１」及び「登録年月日：2009.11.05」を記憶する。
【００９２】
これにより、管理者端末装置Ｙにおいて、管理サーバ端末Ｙ３は、「候補生ユーザ名」及び各アイドル候補生の個人情報を管理データベースＤＢ及び管理サーバ画像記憶部１１に記憶して、各アイドル候補生を登録する。
なお、管理サーバ端末Ｙ３において、管理サーバ端末制御部１４は、既にアイドル候補生の個人情報が記憶されていると、アイドル候補生登録を実行することなく、登録済情報を各アイドル候補生端末Ｚ，Ｚ，…に送信する。
【００９３】
＜支援者トップページ閲覧処理：ＳＴ２００＞
支援者トップページ閲覧処理：ＳＴ２００は、各ファン支援者端末Ｘ，Ｘ，…において、支援者トップページ画像ＧＺ４（図１９参照）を支援者端末表示部１に表示する。
【００９４】
各ファン支援者端末Ｘ，Ｘ，…において、支援者端末制御部５は、ファン支援者登録処理（ＳＴ１００）と同様に、ウェブページ画像（図示しない）を支援者端末表示部１に表示する。
【００９５】
各ファン支援者端末Ｘ，Ｘ，…において、各ファン支援者は、ファン支援者端末入力部２を操作して、ウェブページ画像（図示しない）でＬＯＧＩＮ要求を入力する。
支援者端末制御部５は、ファン支援者の入力操作（ＬＯＧＩＮ要求）に基づいて、ＬＯＧＩＮ要求を管理サーバ端末Ｙ３に送信する。
【００９６】
管理サーバ端末Ｙ３において、管理サーバ制御部１４は、ＬＯＧＩＮ要求を受信すると、管理サーバ画像合成部１３にＬＯＧＩＮ画像要求を出力する。
管理サーバ画像合成部１３は、運営ページ画像ファイルＧＰから基礎画像データ及び記号画像データを読出して、ＬＯＧＩＮページ画像データを構築（合成）する。
管理サーバ制御部１４は、各端末識別ＩＤに基づいて、ＬＯＧＩＮページ画像データを各ファン支援者端末（ＬＯＧＩＮ要求したファン支援者端末）Ｘ，Ｘ，…に送信する（図４２：ＳＴ２０４）。
【００９７】
各ファン支援者端末Ｘ，Ｘ，…において、支援者端末制御部５は、ＬＯＧＩＮページ画像データを受信すると、図１８に示すように、ＬＯＧＩＮページ画像ＧＺ３を支援者端末表示部１に表示する（図４２：ＳＴ２０１）。
ＬＯＧＩＮページ画像ＧＺ３は、図１８に示すように、「候補生入力情報」欄ＧＺ３．１、「支援者入力情報」欄ＧＺ３．２及び「送信」ＧＺ３．３を表示する。「候補生入力情報」欄ＧＺ３．１は、「候補生ユーザ名」及び「パスワード（候補生）」で構成され、「支援者入力情報」欄ＧＺ３．２は「支援者ユーザ名」及び「パスワード（支援者）」で構成される。
【００９８】
続いて、各ファン支援者端末Ｘ，Ｘ，…において、各ファン支援者は、支援者端末入力部２を操作して、ＬＯＧＩＮページ画像ＧＺ３で「支援者入力情報」欄ＧＺ３．２に「支援者ユーザ名」、及び「パスワード」を入力して、「送信」ＧＺ３．３を操作（リンク）する。
例えば、「支援者ユーザ名：A＠gmail.com」及び「パスワード：90125yyy」を入力する。
支援者端末制御部１４は、ファン支援者の入力操作（送信操作）に基づいて、「支援者ユーザ名」及び「パスワード」を管理サーバ端末Ｙ３に送信する（図４２：ＳＴ２０２）。
【００９９】
管理サーバ端末Ｙ３において、管理サーバ制御部１４は、登録認証されたファン支援者の「支援者サーバ名」及び「パスワード」を受信すると（図４２：ＳＴ２０５）、ファン支援者個人情報テーブルＴＢ１を検索して、ファン支援者の登録を検証する。
管理サーバ制御部１４は、「支援者ユーザ名」及び「パスワード」がファン支援者個人情報テーブルＴＢ１に記録され、ファン支援者の登録を認証すると（図４２：ＳＴ２０６，Ｙ）、図７及び図８に示すように、ファン支援者個人情報テーブルＴＢ１及びマイ候補生情報テーブルＴＢ２から各種情報を読出す。
【０１００】
管理サーバ制御部１４は、登録認証されたファン支援者の「支援者ユーザ名」に基づいて、マイ候補生情報テーブルＴＢ２．１，ＴＢ２．２，ＴＢ２．３，…から全てのマイ候補生の「候補生ユーザ名」について、「名前」、「年齢」及び「候補生画像ファイル番号／画像識別番号」を読出し、及びアイドル候補生得票総数情報テーブルＴＢ４から「得票総数」を読出す（以下、「マイ候補生情報」と称する）。
例えば、管理サーバ制御部１４は、「支援者ユーザ名：A＠gmail.com」に基づいて、各情報テーブルＴＢ２．１から全てのマイ候補生の「候補生ユーザ名」について、「名前」、「身長」、「年齢」、「候補生画像ファイル番号／画像識別番号」を読出す。
【０１０１】
管理サーバ制御部１４は、図９に示すように、アイドル候補生個人情報テーブルＴＢ１から、マイ候補生の「候補生ユーザ名」を除く、全ての「候補生ユーザ名」について、「名前」、「年齢」、「候補生画像ファイル番号／画像識別番号」及び「登録年月日」を読出し、及びアイドル候補生得票総数情報テーブルＴＢ４から「得票総数」を読出す（以下、「非マイ候補生情報」とも称する。
【０１０２】
続いて、管理サーバ制御部１４は、非マイ候補生情報の「登録年月日」に基づいて、非マイ候補生情報を区別する。
例えば、管理サーバ制御部１４は、「登録年月日：2012.04.01」以前の「登録年月日」である「候補生ユーザ名：ST@YMAIL.COM」、「候補生ユーザ名：KO@YMAIL.COM」の非マイ候補生情報（以下、「既存・非マイ候補生情報」とも称する）、及び「登録年月日：2012.04.01」以降の「登録年月日」である「候補生ユーザ名：RQ@YMAIL.COM」の非マイ候補生情報（以下、「新人・非マイ候補生情報」とも称する）に区別する。
また、管理サーバ制御部１４は、全ての「候補生ユーザ名」の「得票総数」に基づいて、各「候補生ユーザ名」の得票総数順位を演算する（以下、「得票総数順位情報」と称する）。
【０１０３】
管理サーバ制御部１４は、支援者トップページ画像要求、マイ候補生情報、既存・非マイ候補生情報、新人・非マイ候補生情報、及び各得票総数順位情報を管理サーバ画像合成部１３に出力する。
管理サーバ画像合成部１３は、マイ候補生情報、既存・非マイ候補生情報、及び新人・非マイ候補生情報に基づいて、運営ページ画像ファイルＧＦから基礎画像データ及び記号画像データを読出し、「候補生画像ファイル番号／画像識別番号」に基づいて、候補生画像ファイルＡＧＦ１，ＡＧＦ２，…から画像識別番号１，２，…の候補生画像データＧＡ，ＧＢ，…を読出し、これら画像データを合成して、支援者トップページ画像データを構築する。
管理サーバ制御部１４は、端末識別ＩＤに基づいて、支援者トップページ画像データを各ファン支援者端末（登録認証したファン支援者端末）Ｘ，Ｘ，…に送信する（図４２：ＳＴ２０７）。
また、管理サーバ端末Ｙ３において、「支援者ユーザ名」及び端末識別ＩＤを管理サーバ端末記憶部１２に記憶して、接続状態の各ファン支援者端末Ｘ，Ｘ，…を認識する。
【０１０４】
各ファン支援者端末Ｘ，Ｘ，…において、支援者端末制御部５は、支援者トップページ画像データを受信すると、図１９に示すように、支援者トップページ画像ＧＺ４を支援者端末表示部１に表示する（図４２：ＳＴ２０３）。
支援者トップページ画像ＧＺ４は、図１９に示すように、「リンク」欄ＧＺＲ、「マイ候補生情報」欄ＧＺ４．２、「既存・候補生情報」欄ＧＺ４．３及び「新人・候補生情報」欄ＧＺ４．４を表示する。「リンク」欄ＧＺ４．１は、「候補生」、「ゲーム」、「ランキング」及び「マイプロフィール」を表示して構成される。「マイ候補生情報」欄ＧＺ４．２は、マイ候補生の候補生画像を並べて表示し、及び候補生画像に対応して「候補生名前」、「身長」、「年齢」、「得票総数順位」、「得票総数」及び「投票」を表示して構成される。「既存・候補生情報」欄ＧＺ４．３は、既存・非マイ候補生の候補生画像を並べて表示し、及び候補生画像に対応して「候補生名前」、「身長」、「年齢」、「得票総数順位」、「得票総数」、「候補生追加」及び「投票」を表示して構成される。「新人・候補生」欄ＧＺ４．４は、新人・非マイ候補生の候補生画像を表示して構成される。
これにより、各ファン支援者は、マイ候補生、候補生（非マイ候補生）の個人情報及び各候補生の画像を閲覧できる。
また、各ファン支援者は、新人・候補生（非マイ候補生）の候補生画像を閲覧できる。
【０１０５】
＜支援者プロフィール閲覧処理：ＳＴ２５０＞
支援者プロフィール閲覧処理：ＳＴ２５０は、各ファン支援者端末Ｘ，Ｘ，…において、支援者プロフィールページ画像ＧＺ５（図２０参照）を支援者端末表示部１に表示する。
【０１０６】
各ファン支援者端末Ｘ，Ｘ，…において、各ファン支援者は、支援者端末入力部２を操作して、支援者トップページ画像ＧＺ４で「リンク」欄ＧＺ４．１の「マイプロフィール」を操作（リンク）する（図４３：ＳＴ２５１）。
支援者端末制御部１４は、ファン支援者の入力操作（マイプロフィール操作）に基づいて、支援者プロフィール閲覧要求を管理サーバ端末Ｙ３に送信する。
【０１０７】
管理サーバ端末Ｙ３において、管理サーバ制御部１４は、支援者プロフィール要求を受信すると（図４３：ＳＴ２５３）、プロフィール閲覧要求・ファン支援者の「支援者ユーザ名」に基づいて、ファン支援者個人情報テーブルＴＢ１から「ニックネーム」、「性別」、「生年月日」、「都道府県」及び「支援者画像ファイル／画像識別番号」を読出す（以下、「支援者プロフィール情報」と称する）。
例えば、管理サーバ制御部１４は、プロフィール閲覧要求・ファン支援者の「支援者ユーザ名：A＠gmail.com」に基づいて、「ニックネーム：うさぎ」、「性別：男」、「生年月日：1995.12.22」及び「支援者画像ファイル／画像識別番号：ＳＧＦ1／識別番号１」を読出す。
続いて、管理サーバ制御部１４は、支援者プロフール情報を管理サーバ画像合成部１３に出力する。
【０１０８】
管理サーバ画像合成部１３は、「支援者画像ファイル番号／画像識別番号」に基づいて、支援者画像ファイルから画像識別番号の支援者画像データを読出し、及び支援者プロフィール情報に基づいて、運営ページ画像ファイルＧＦから基礎画像データ及び記号画像データを読出して、これら画像データを合成して、支援者プロフィールページ画像データを構築する。支援者プロフィールページ画像データは、プロフィール閲覧対象のファン支援者の個人情報（「ニックネーム」、「性別」、「生年月日」、「都道府県」）及び「支援者ユーザ名」で成る。
【０１０９】
管理サーバ制御部１４は、端末識別ＩＤに基づいて、支援者プロフィール画像データを各ファン支援者端末（プロフィール閲覧要求したファン支援者端末）Ｘ，Ｘ，…に送信する（図４３：ＳＴ２５４）。
【０１１０】
各ファン支援者端末Ｘ，Ｘ，…において、支援者端末制御部５は、支援者プロフィールページ画像データを受信すると、図２０に示すように、支援者プロフィールページ画像ＧＺ５を支援者端末表示部１に表示する（図４３：ＳＴ２５２）。
支援者プロフィール画像ＧＺ５は、図２０に示すように、「リンク」欄ＧＺＱ及び「支援者プロフィール情報」欄ＧＺ５．２を表示する。「リンク」欄ＧＺＱは、「プロフィール」、「コイン」及び「投票権変換ページ」を表示する。「支援者プロフィール情報」欄ＧＺ５．２は、支援者画像、「ニックネーム」、「支援者ユーザ名」、「性別」、「生年月日」、「都道府県」を表示して構成される。
例えば、ファン支援者Ｆ１（「支援者ユーザ名：A@gmail.com」）に対して、「支援者プロフィール情報」欄ＧＺ５.２は、支援者画像Ｇ１、「ニックネーム：うさぎ」、「支援者ユーザ名：A@gmail.com」、「性別：男」、「生年月日：1995.12.22」及び「都道府県：大阪府」を表示する（図２０参照）。
【０１１１】
＜仮想コイン購入処理：ＳＴ３００＞
仮想コイン購入処理：ＳＴ３００は、各ファン支援者端末Ｘ，Ｘ，…において、管理者端末装置Ｙ（管理サーバ端末Ｙ３）から仮想コインを購入する。
【０１１２】
各ファン支援者端末Ｘ，Ｘ，…において、各ファン支援者は、支援者端末入力部２を操作して、支援者プロフェール画像ＧＺ５で「リンク」欄ＧＺ５．１の「コイン」を操作（リンク）する（図４４：ＳＴ３０１）。
支援者端末制御部１４は、ファン支援者の入力操作（コイン操作）に基づいて、仮想コイン購入要求を管理サーバ端末Ｙ３に送信する。
【０１１３】
管理サーバ端末Ｙ３において、管理サーバ制御部１５は、仮想コイン購入要求を受信すると（図４５：ＳＴ３０７）、コイン購入要求・ファン支援者の「支援者ユーザ名」に基づいて、ファン支援者ゲーム総得点情報テーブルＴＢ６から「ゲーム総得点」、「投票権総数」、「仮想コイン総数」を読出す（以下、「仮想コイン総数等情報」と称する）。
例えば、管理サーバ制御部１４は、コイン購入要求・ファン支援者の「支援者ユーザ名：A＠gmail.com」に基づいて、情報テーブルＴＢ６から「ゲーム総得点：200」、「投票権総数：280」及び「仮想コイン総数：150」を読出す。
管理サーバ制御部１４は、仮想コイントップページ画像要求、及び仮想コイン総数情報を管理サーバ画像合成部１３に出力する。
管理サーバ画像合成部１３は、仮想コイン総数等情報に基づいて、管理サーバ画像記憶部１１から基礎画像データ及び記号画像データを読出して、仮想コイン購入トップページ画像データを構築（合成）する。
管理サーバ制御部１４は、端末識別ＩＤに基づいて、仮想コイン購入トップページ画像データを各ファン支援者端末（コイン購入要求したファン支援者端末）Ｘ，Ｘ，…に送信する（図４５：ＳＴ３０８）。
【０１１４】
各ファン支援者端末Ｘ，Ｘ，…において、支援者端末制御部５は、仮想コイン購入トップページ画像データを受信すると、図２１に示すように、仮想コイン購入トップページ画像ＧＺ６を支援者端末表示部１に表示する（図４４：ＳＴ３０２）。
仮想コイン購入トップページ画像ＧＺ６は、図２１に示すように、「リンク」欄ＧＺＱ、「仮想コイン総数情報」欄ＧＺ６．２、及び「決算会社情報」欄ＧＺ６．３」を表示する。「仮想コイン総数情報」欄ＧＺ６．２は、「仮想コイン総数」、「ゲーム総得点」及び「投票権総数」を表示して構成される。「決算会社情報」欄ＧＺ６．３は、「決算会社Ａ」乃至「決算会社Ｄ」を表示して構成される。
例えば、コイン購入要求・ファン支援者（「支援者ユーザ名：A@gmail.com」）に対して、「仮想コイン総数情報」欄ＧＺ６.２は、「仮想コイン総数：150」、「ゲーム総得点：200」、「投票権総数：280」を表示する（図２１参照）。
【０１１５】
続いて、各ファン支援者端末Ｘ，Ｘ，…において、各ファン支援者は、支援者端末入力部１３を操作して、仮想コイン購入トップページ画像ＧＺ６で「決算会社情報」欄ＧＺ６．３の任意の「決算会社」を操作（リンク）する。
支援者端末制御部１４は、ファン支援者の入力操作（決算会社操作）に基づいて、アカウント要求を管理サーバ端末Ｙ３に送信する（図４４：ＳＴ３０３）。
【０１１６】
管理サーバ端末Ｙ３において、管理サーバ制御部１４は、アカウント要求を受信すると（図４５：ＳＴ３０９）、コイン購入要求・ファン支援者の「支援者ユーザ名」に基づいて、ファン支援者ゲーム総得点情報デーブルＴＢ６から「ゲーム総得点」、「投票権総数」、「仮想コイン総数」を読出す（仮想コイン総数等情報）。
例えば、管理サーバ制御部１４は、コイン購入要求・ファン支援者の「支援者ユーザ名：A＠gmail.com」に基づいて、情報テーブルＴＢ６から「ゲーム総得点：200」、「投票権総数：280」及び「仮想コイン総数：150」を読出す。
管理サーバ制御部１４は、アカウント情報ページ画像要求、仮想コイン総数等情報を管理サーバ画像合成部１３に出力する。
管理サーバ端末画像合成部１３は、仮想コイン総数等情報に基づいて、管理サーバ画像記憶部１１の運営ページ画像ファイルＧＦから基礎画像データ及び記号画像データを読出して、アカウント情報ページ画像データを構築（合成）する。
管理サーバ制御部１４は、端末識別ＩＤに基づいて、アカウント情報ページ画像データを各ファン支援者端末（アカウント要求したファン支援者端末）Ｘ，Ｘ，…に送信する（図４５：ＳＴ３１０）。
【０１１７】
各ファン支援者端末Ｘ，Ｘ，…において、支援者端末制御部５は、アカウント情報ページ画像データを受信すると（図４４：ＳＴ３０４）、図２２に示すように、アカウント情報ページ画像ＧＺ７を支援者端末表示部１に表示する。
アカウント情報ページ画像ＧＺ７は、図２２に示すように、「リンク」欄ＧＺＱ、「仮想コイン総数情報」欄ＧＺ７．２、「決算入力情報」欄ＧＺ７．３及び「購入」ＣＺ７．４を表示する。「仮想コイン総数情報」欄ＧＺ７．２は、「仮想コイン総数」、「ゲーム総得点」及び「得票権総数」を表示して構成される。「決算入力情報」欄ＧＺ７．３は、「金額」、「銀行口座番号」及び「クレジットカード番号」を表示して構成される。
【０１１８】
続いて、各ファン支援者端末Ｘ，Ｘ，…において、各ファン支援者は、支援者端末入力部２を操作して、アカウントページ画像ＧＦ７で「決算入力情報」欄ＧＺ７．３に「金額」、「口座番号」及び「クレジットカード番号」を入力し、「購入」ＧＺ７．４を操作（リンク）する。
例えば、「金額：5000円」、「銀行口座番号：AG75H」及び「クレジットカード番号：123F」を入力する。
支援者端末制御部５は、ファン支援者の入力操作（購入操作）に基づいて、「金額」、「銀行口座番号」及び「クレジットカード番号」（以下、「決算情報」と称する）を管理サーバ端末Ｙ３に送信する（図４４：ＳＴ３０５）。
【０１１９】
管理サーバ端末Ｙ３において、管理サーバ制御部１４は、決算情報を受信すると（図４５：ＳＴ３１１）、図１に示すように、決算会社サーバ端末ＣＫにネットワークＷＡＮ及び管理者ネットワークＬＡＮを通して接続する。
管理サーバ制御部１４は、決算紹介要求、決算情報を決算会社サーバ端末ＣＫに送信する（図４５：ＳＴ３１２）。
【０１２０】
決算会社サーバ端末ＣＫは、決算紹介要求、及び決算情報を受信すると（図４７：ＳＴ３１８）、「銀行口座番号」の残高を含む決算情報について検証する（図４７：ＳＴ３１９）。
決算会社サーバ端末ＣＫは、決算検証情報（正当／不正）を管理サーバ端末Ｙ３に送信する（図４７：ＳＴ３２０）。
【０１２１】
管理サーバ端末Ｙ３において、管理サーバ制御部１４は、決算検証情報を受信して（図４６：ＳＴ３１３）、決算検証情報・正当であると（図４６：ＳＴ３１４，Ｙ）、「金額」を仮想コインに演算／変換する（以下、「変換・仮想コイン」と称する）。
コイン変換は、例えば「金額：1000円」を「仮想コイン：50」に変換する。
続いて、管理サーバ制御部１４は、コイン購入要求・ファン支援者の「支援者ユーザ名」に基づいて、ファン支援者ゲーム総得点情報テーブルＴＢ６を検索して、「仮想コイン総数」を読出す（図４６：ＳＴ３１５）。
例えば、管理サーバ制御部１４は、コイン購入要求・ファン支援者の「支援者ユーザ名：A@gmail.com」に基づいて、「仮想コイン総数：150」を読出す。
管理サーバ制御部１４は、「仮想コイン総数」に「変換・仮想コイン」を加算して、ファン支援者ゲーム総得点情報テーブルＴＢ６に更新記憶する（図４６：ＳＴ３１６）。
これにより、管理サーバ制御部１４は、ファン支援者ゲーム総得点情報テーブルＴＢ６を管理データベースＤＢに更新記憶する。
また、各ファン支援者は、管理者端末装置Ｙ（管理サーバ端末Ｙ３）から仮想コインを購入でき、システム管理者は仮想コインの販売で収益を得る。
【０１２２】
管理サーバ制御部１４は、決算検証情報・不正であると（図４６：ＳＴ３１４，Ｎ）、決算認証情報・不当を各支援者端末Ｘ，Ｘ，…に送信する。
【０１２３】
各支援者端末Ｘ，Ｘ，…において、支援者端末制御部５は、決算認証情報・不当を受信すると（図４４：ＳＴ３０６，Ｙ）、決算認証・不当画像（図示しない）を支援者端末表示部１に表示する。
各ファン支援者は、支援者端末入力部２を操作して、「決算入力情報」欄ＧＺ７．３の「金額」等を再入力する。
【０１２４】
＜ゲームトップページ閲覧処理：ＳＴ４００＞
ゲームトップページ画像閲覧処理：ＳＴ４００は、各ファン支援者端末Ｘ，Ｘ，…において、ゲームトップページ画像ＧＺ８（図２３）を支援者端末表示部１に表示する。
【０１２５】
各ファン支援者端末Ｘ，Ｘ，…において、各ファン支援者は、支援者端末入力部２を操作して、図１９に示すように、支援者トップページ画像ＧＺ４で「リンク」欄ＧＺＲの「ゲーム」を操作（リンク）する（図４８：ＳＴ４０１）。
支援者端末制御部５は、ファン支援者の入力操作（ゲーム操作）に基づいて、ゲーム閲覧要求を管理サーバ端末Ｙ３に送信する。
【０１２６】
管理サーバ端末Ｙ３において、管理サーバ制御部１４は、ゲーム閲覧要求を受信すると（図４８：ＳＴ４０３）、ゲーム閲覧要求・ファン支援者の「支援者ユーザ名」に基づいて、ファン支援者ゲーム総得点情報テーブルＴＢ６及びゲーム履歴情報テーブルＴＢ８．１，ＴＢ８．２，ＴＢ８．３，…から各種情報を読出す。
管理サーバ制御部１４は、情報テーブルＴＢ６から「仮想コイン総数」、「ゲーム総得点」及び「得票権総数」を読出す（以下、「ゲーム総得点情報」と称する）。
管理サーバ制御部１４は、情報テーブルＴ８．１，ＴＢ８．２，…から全ての「ゲームコード」、「ゲーム得点（累計）」及び「ゲーム実行時間（累計）を読出す（以下、「ゲーム情報」と称する）。
【０１２７】
続いて、管理サーバ制御部１４は、情報テーブルＴＢ６から全ての「支援者ユーザ名」の「ゲーム総得点」を読出して、各「支援者ユーザ名」のゲーム総得点順位を演算する（以下、「ゲーム総得点順位情報」と称する）。
管理サーバ制御部１４は、ゲームトップページ画像要求、ゲーム総得点情報、ゲーム情報、及びゲーム総得点順位情報を管理サーバ画像合成部１３に出力する。
【０１２８】
管理サーバ画像合成部１３は、ゲーム総得点情報、ゲーム情報及びゲーム総得点順情報に基づいて、管理サーバ画像記憶部１１から基礎画像データ及び記号画像データを読出し、ゲームトップページ画像データを構築（合成）する。
管理サーバ制御部１４は、端末識別ＩＤに基づいて、ゲームトップページ画像データを各ファン支援者端末（ゲーム閲覧要求したファン支援者端末）Ｘ，Ｘ，…に送信する（図４８：ＳＴ４０４）。
【０１２９】
各ファン支援者端末Ｘ，Ｘ，…において、支援者端末制御部５は、ゲームトップページ画像データを受信すると、図２３に示すように、ゲームトップページ画像ＧＺ８を支援者端末表示部１に表示する（図４８：ＳＴ４０２）。
ゲームトップページ画像ＧＺ８は、図２３に示すように、「リンク」欄ＧＺＱ、「ゲーム総得点情報」欄ＧＺ８．２及び「ゲーム情報」欄ＧＺ８．３を表示する。「ゲーム総得点情報」欄ＧＺ８．２は、「仮想コイン総数」、「ゲーム総得点」、「ゲーム総得点順位」、「投票権総数」及び「投票権変換」を表示して構成される。「ゲーム情報」欄ＧＺ８．３は、各「ゲームコード」を並べて表示し、及び「ゲームコード」に対応して「ゲーム得点（累計）」、「ゲーム実行時間（累計）」及び「スタート」を表示して構成される。
例えば、ファン支援者Ｆ１（「支援者ユーザ名：A＠gmail.com」）に対して、「ゲーム総得点情報」欄ＧＺ８．２は、「仮想コイン総数：150」、「ゲーム総得点：200」、「ゲーム総得点順位：2035/2560」、「投票権総数：280」及び「投票権変換」を表示し、「ゲーム情報」欄ＧＺ８．３は、「ゲームコード：GM1（カエルバトルゲーム）」に対して「ゲーム得点（累計）：55」、「ゲーム実行時間（累計）：100」、「スタート」及び「ゲームコード：GM2（侍バトルゲーム）」に対して「ゲーム得点（累積）：30」、「ゲーム実行時間（累計）：70」、「スタート」を表示する。
【０１３０】
＜ゲーム実行処理：ＳＴ５００＞
ゲーム実行処理：ＳＴ５００は、各ファン支援者端末Ｘ，Ｘ，…において、特典付与ゲームを実行し、特典付与条件に基づいて、ゲーム特典を付与する。
【０１３１】
各ファン支援者端末Ｘ，Ｘ，…において、各ファン支援者は、支援者端末入力部２を操作して、ゲームトップページ画像ＧＺ８で「ゲーム情報」欄ＧＺ８．３の任意の「スタート」を操作（リンク）する（図４９：ＳＴ５０１）。
例えば、「ゲームコード：GM1」の「スタート」を操作（リンク）する。
支援者端末制御部５は、ファン支援者の入力操作（スタート操作）に基づいて、「ゲームコード」、及びゲーム開始要求を管理サーバ端末Ｙ３に送信する。
【０１３２】
管理サーバ端末Ｙ３において、管理サーバ制御部１４は、ゲームコード情報、及びゲーム開始要求を受信すると（図５０：ＳＴ５０８）、ゲーム開始要求・ファン支援者の「支援者ユーザ名」に基づいて、ファン支援者ゲーム総得点情報テーブルＴＢ６から「仮想コイン総数」を読出す（図５０：ＳＴ５０９）。
例えば、管理サーバ制御部１４は、ゲーム開始要求・ファン支援者の「支援者ユーザ名：A＠gmail.com」に基づいて、情報テーブルＴＢ６から「仮想コイン総数：150」を読出す。
【０１３３】
続いて、管理サーバ制御部１４は、「仮想コイン総数−特典付与ゲーム開始条件に相当する仮想コイン数（以下、「相当・仮想コイン数」と称する）」を演算（減算）し（図５０：ＳＴ５０９）、「仮想コイン総数」≧「相当・仮想コイン数」であると（図５０：ＳＴ５１０，Ｙ）、ゲーム開始要求・ファン支援者の「仮想コイン総数」から「相当・仮想コイン数」を減算して、情報テーブルＴＢ６を更新記憶する（図５０：ＳＴ５１１）。
「相当・仮想コイン数」は、特典付与ゲームを開始する対価であって、例えば、「仮想コイン数：５０」とする。
例えば、管理サーバ制御部１４は、ゲーム開始要求・ファン支援者の「支援者ユーザ名：A＠gmail.com」に対して、「仮想コイン総数：１５０」−「相当・仮想コイン数：５０」を演算（減算）して、「仮想コン総数：１００」を情報テーブルＴＢ６に更新記憶する（図１２参照）。
これにより、管理サーバ制御部１４は、ファン支援者ゲーム総得点情報テーブルＴＢ６を管理データベースＤＢに更新記憶する。
【０１３４】
管理サーバ制御部１４は、ゲーム開始要求、端末識別ＩＤ、ゲーム開始要求・ファン支援者の「支援者ユーザ名」及び「ゲームコード」をゲームサーバ端末Ｙ４に出力する（図５０：ＳＴ５１２）。
これにより、各ファン支援者端末Ｘ，Ｘ，…及びゲームサーバ端末Ｙ４は、管理者ネットワークＬＡＮ及びネットワークＷＡＮを通して接続する。
【０１３５】
一方、管理サーバ制御部１４は、「仮想コイン総数」＜「相当・仮想コイン数」であると（図５０：ＳＴ５１０，Ｎ）、仮想コイン総数・不足を各ファン支援者端末（ゲーム開始要求したファン支援者端末）Ｘ，Ｘ，…に送信する（図５０：ＳＴ５１６）。
各ファン支援者端末Ｘ，Ｘ，…において、支援者端末制御部５は、仮想コイン総数・不足を受信すると（図４９：ＳＴ５０２，Ｙ）、仮想コイン総数・不足画像（図示しない）を支援者端末表示部１に表示する。
【０１３６】
ゲームサーバ端末Ｙ４において、ゲームサーバ制御部２４は、ゲーム開始要求、端末識別ＩＤ、ゲーム開始要求・ファン支援者の「支援者ユーザ名」及び「ゲームコード」を入力すると（図５１：ＳＴ５１７）、ゲームサーバ画像合成部２３に出力する。
ゲームサーバ画像合成部２３は、「ゲームコード」に基づいて、ゲーム画像記憶部２１から基礎ゲーム画像データ及び記号画像データを読出して、ゲーム画像データを構築（合成）する。
例えば、ゲームサーバ画像合成部２３は、「ゲームコード：GM1」に基づいて、特典付与ゲーム（カエルバトルゲーム）の基礎ゲーム画像データ及び記号画像データを読出して、特典付与ゲーム（カエルバトルゲーム）のゲーム画像データを構築する。
ゲームサーバ制御部２４は、端末識別ＩＤに基づいて、特典付与ゲーム情報となるゲーム制御プログラム、及びゲーム画像データを各ファン支援者端末（ゲーム開始要求したファン支援者端末）Ｘ，Ｘ，…に送信する（図５１：ＳＴ５１８）。
【０１３７】
各ファン支援者端末Ｘ，Ｘ，…において、支援者端末制御部５は、特典付与ゲーム情報を受信すると（図４９：ＳＴ５０３）、図２４に示すように、ゲーム画像ＧＺ９を支援者端末表示部１に表示する。
例えば、支援者端末制御部５は、「ゲームコード：GM1」において、特典付与ゲーム（カエルバトルゲーム）のゲーム画像ＧＺ９を表示する。
ゲーム画像ＧＺ９は、図２４に示すように、「支援者側アバタ画像」ＧＺ９．１及び「サーバ側アバタ画像」ＧＺ９．２を表示する。
【０１３８】
各ファン支援者端末Ｘ，Ｘ，…において、各ファン支援者Ｆ１，Ｆ２，Ｆ３，…は、支援者端末入力部２を操作して、特典付与ゲームを開始／実行する（図４９：ＳＴ５０４）。各ファン支援者Ｆ１，Ｆ２，Ｆ３，…は、支援者端末入力部２によって、ゲーム画像ＧＺ９で「支援者側アバタ画像」ＧＺ９．１を操作して、「サーバ側アバタ画像」ＧＺ９．２に攻撃等を加える。
支援者端末制御部５は、ゲーム制御プログラムに基づいて、特典付与ゲームを実行し、「支援者側アバタ画像」ＧＺ９．１の攻撃等の特典付与ゲーム実行情報をゲームサーバ端末Ｙ４に送信する。
【０１３９】
ゲームサーバ端末Ｙ４において、ゲームサーバ制御部２４は、ゲーム実行情報を受信すると、特典付与条件に基づいて、ゲーム得点を付与する。
「特典付与条件」は、例えば、「サーバ側アバタ画像」を倒すことである。「ゲーム得点は、例えば、ゲーム得点：１００である。
ゲームサーバ制御部２４は、ゲーム実行情報に基づいて、特典付与条件を満たすと（図５１：ＳＴ５１９,Ｙ）、特典付与ゲームを実行するファン支援者の「支援者ユーザ名」及び「ゲームコード」に対応付けてゲーム特典（ゲーム得点：１００）をゲームサーバ記憶部２２に記憶し、「支援者ユーザ名」及び「ゲームコード」に対応付けてゲーム実行時間を計時して、ゲームサーバ記憶部２２に記憶する（図５１：ＳＴ５２０）。
【０１４０】
続いて、ゲームサーバ制御部２４は、端末識別ＩＤに基づいて、特典付与ゲーム継続／終了要求を各ファン支援者端末（特典付与ゲームを実行するファン支援者端末）Ｘ，Ｘ，…に送信する（図５１：ＳＴ５２１）。
【０１４１】
各ファン支援者端末Ｘ，Ｘ，…において、支援者端末制御部５は、特典付与ゲーム継続／終了要求を受信すると（図４９：ＳＴ５０５）、ゲーム継続／終了画像（図示しない）を支援者端末表示部１に表示する。
各ファン支援者は、支援者端末入力部２を操作して、特典付与ゲーム終了を入力すると、支援者端末制御部５は、特典付与ゲーム終了要求をゲームサーバ端末Ｙ４に送信する（図４９：ＳＴ５０６，Ｙ）。
【０１４２】
ゲームサーバ端末Ｙ４において、ゲームサーバ制御部２４は、特典付与ゲーム終了要求を受信すると（図５１：ＳＴ５２２，Ｙ）、特典付与ゲームを実行するファン支援者の「支援者ユーザ名」及び「ゲームコード」に基づいて、ゲームサーバ記憶部２２から「ゲーム得点」及び「ゲーム実行時間」を読出す。
ゲームサーバ制御部２４は、「支援者ユーザ名」、「ゲームコード」、「ゲーム得点」及び「ゲーム実行時間」を管理サーバ端末Ｙ３に出力する（図５１：ＳＴ５２３）。
【０１４３】
管理サーバ端末Ｙ３において、管理サーバ制御部１４は、「支援者ユーザ名」、「ゲームコード」、「ゲーム得点」及び「ゲーム実行時間」を入力すると（図５０：ＳＴ５１３）、特典付与ゲームを実行したファン支援者の「支援者ユーザ名」に基づいて、ファン支援者ゲーム総得点情報テーブルＴＢ６及びゲーム履歴情報ＴＢ８．１，ＴＢ８．２，ＴＢ８．３，…から各種情報を読出す。
管理サーバ制御部１４は、情報テーブルＴＢ６から「ゲーム総得点」を読出し、及び情報テーブルＴＢ８.１,ＴＢ８．２,ＴＢ８．３,…から「ゲームコード情報」に対応する「ゲーム得点（累計）」及び「ゲーム実行時間（累計）を読出す。
【０１４４】
続いて、管理サーバ制御部１４は、図１２に示すように、「ゲーム得点」を「ゲーム総得点」に加算して、情報テーブルＴＢ６を更新記憶する（図５０：ＳＴ５１４）。
例えば、管理サーバ制御部１４は、ゲーム開始要求したファン支援者の「支援者ユーザ名：A＠gmail.com」に対して、「ゲーム得点：100」を「ゲーム総得点：150」に加算して、「ゲーム総得点：250」をファン支援者ゲーム総得点情報テーブルＴＢ６に格納（記憶）する。
管理サーバ制御部１４は、図１４に示すように、特典付与ゲームを実行したファン支援者の「ゲーム得点」を「ゲーム得点（累計）」に加算し、及び「ゲーム実行時間」を「ゲーム実行時間（累計）に加算して、情報テーブルＴ８．１,ＴＢ８．２,ＴＢ８．３,…を更新記憶する（図５０：ＳＴ５１４）。
例えば、管理サーバ制御部１４は、特典付与ゲームを実行したファン支援者の「支援者ユーザ名：A＠gmail.com」及び「ゲームコード：GM1」に対して、「ゲーム得点:100」を「ゲーム得点（累計）：55」に加算し、及び「ゲーム実行時間：30」を「ゲーム実行時間（累計）:100」に加算して、ゲーム履歴情報テーブルＴＢ８．１に格納（記憶）する。
これにより、管理サーバ制御部１４は、各情報テーブルＴＢ６、ＴＢ８．１，ＴＢ８．２，…を管理データベースＤＢに更新記憶する。
【０１４５】
管理サーバ制御部１４は、端末識別ＩＤに基づいて、ゲームトップページ画像データを各ファン支援者端末Ｘ,Ｘ,…に送信する（図５０：ＳＴ５１５）。
【０１４６】
各ファン支援者端末Ｘ,Ｘ,…において、支援者端末制御部５は、ゲームトップページ画像データを受信すると、図２３に示すように、ゲームトップページ画像ＧＺ８を支援者端末表示部１に表示する（図４９：ＳＴ５０７）。
これより、各ファン支援者は、特典付与ゲームを実行することで、ゲーム得点を得ることができる。
【０１４７】
＜投票権変換処理：ＳＴ６００＞
投票権変換処理：ＳＴ６００は、各ファン支援者端末Ｘ，Ｘ，…において、仮想コインを投票権に変換する。
【０１４８】
各ファン支援者端末Ｘ,Ｘ,…及び管理者端末装置Ｙ（管理サーバ端末Ｙ３）は、支援者トップページ画像閲覧処理（ＳＴ２０1〜ＳＴ２０７）及び支援者プロフィール閲覧処理（ＳＴ２５１〜ＳＴ２５２）を実行して、図２０に示すように、支援者プロフィールページ画像ＧＺ５を各ファン支援者端末Ｘ,Ｘ,…の支援者端末表示部１に表示する。
【０１４９】
各ファン支援者端末Ｘ,Ｘ,…において、各ファン支援者Ｆ１,Ｆ２,Ｆ３,…は、支援者端末入力部２を操作して、図２０に示すように、支援者プロフィールページ画像ＧＺ５で「リンク」欄ＧＺ５．１の「投票権変換トップページ」を操作（リンク）する（図５２：ＳＴ６０１）。
支援者端末制御部５は、ファン支援者の入力操作（投票権変換トップページ操作）に基づいて、変換トップページ閲覧要求を管理サーバ端末Ｙ３に送信する。
【０１５０】
管理サーバ端末Ｙ３において、管理サーバ制御部１４は、変換トップページ閲覧要求を受信すると（図５３：ＳＴ６０７）、変換トップページ閲覧要求・ファン支援者の「支援者ユーザ名」に基づいて、ファン支援者ゲーム総得点情報テーブルＴＢ６から「投票総数」、「投票権総数」、「ゲーム総得点」を読出す（以下、「投票権等情報」と称する）。
例えば、管理サーバ制御部１４は、変換トップページ閲覧要求・ファン支援者の「支援者ユーザ名：A＠gmail.com」に基づいて、「投票総数：450」、「得票権総数：280」及び「ゲーム総得点:200」を読出す。
また、管理サーバ制御部１４は、情報テーブルＴＢ６から全ての「支援者ユーザ名」の「投票権総数」を読出し、各「支援者ユーザ名」の投票権総数順位を演算する（以下、「投票権総数順位情報」と称する）。
管理サーバ制御部１４は、変換トップページ画像要求、投票権等情報及び投票権総数順位情報を管理サーバ画像合成部１３に出力する。
管理サーバ画像合成部１３は、投票権等情報、及び投票権総数順位情報に基づいて、管理サーバ画像記憶部１１の運営ページ画像ファイルＧＦから基礎画像データ及び記号画像データを読出して、投票権変換トップページ画像データを構築（合成）する。
管理サーバ制御部１４は、端末識別ＩＤに基づいて、投票権変換トップページ画像データを各ファン支援者端末（変換トップページ閲覧要求したファン支援者端末）Ｘ，Ｘ，…に送信する（図５３：ＳＴ６０８）。
【０１５１】
各ファン支援者端末Ｘ，Ｘ，…において、支援者端末制御部５は、投票権交換トップページ画像データを受信すると、図２５に示すように、投票権変換トップページ画像ＧＺ１０を支援者端末表示部１に表示する（図５２：ＳＴ６０２）。
投票権変換トップページ画像ＧＺ１０は、図２５に示すように、「リンク」欄ＧＺＱ、「投票権等情報」欄ＧＺ１０．２及び「投票権変換」ＧＺ１０．３を表示する。「投票権等情報」欄Ｇ１０．２は、「投票総数」、「投票権総数」、「投票権総数順位」及び「ゲーム総得点」を表示して構成される。
例えば、変換トップページ閲覧要求・ファン支援者（「支援者ユーザ名：A＠gmail.com」）に対して、「投票権等情報」欄Ｇ１０．２は、「投票総数：450」、「投票権総数：280」、「投票権総数順位：1269/2560」及び「ゲーム総得点：200」を表示する。
【０１５２】
各ファン支援者端末Ｘ，Ｘ，…において、各ファン支援者は、支援者端末入力部２を操作して、図２５に示すように、投票権変換トップページ画像ＧＺ１０で「投票権交換」ＧＺ１０.３を操作（リンク）する（図５２：ＳＴ６０３）。
支援者端末制御部５は、ファン支援者の入力操作（投票権交換操作）に基づいて、投票権交換入力ページ画像要求を管理サーバ端末Ｙ３に送信する。
【０１５３】
管理サーバ端末Ｙ３において、管理サーバ制御部１４は、投票権交換入力ページ画像要求を受信すると（図５３：ＳＴ６０９）、ファン支援者ゲーム総得点情報テーブルＴＢ６から「投票総数」、「投票権総数」及び「ゲーム総得点」を読出す（以下、「投票総数等情報」と称する）。
管理サーバ制御部１４は、交換入力ページ画像要求、及び投票総数等情報を管理サーバ画像合成部１３に出力する。管理サーバ画像合成部１３は、投票総数等情報に基づいて、管理サーバ画像記憶部１１の運営ページ画像ファイルＧＦから基礎画像データ及び記号画像データを読出して、投票権交換入力ページ画像データを構築（合成）する。
管理サーバ制御部１４は、端末識別ＩＤに基づいて、投票権交換入力ページ画像データを各ファン支援者端末（変換入力ページ画像要求したファン支援者端末）Ｘ，Ｘ，…に送信する（図５３：ＳＴ６１０）。
【０１５４】
各ファン支援者端末Ｘ，Ｘ，…において、支援者端末制御部５は、投票権交換入力ページ画像データを受信すると、図２６に示すように、投票権交換入力ページ画像ＧＺ１１を支援者端末表示部１に表示する（図５２：ＳＴ６０４）。
投票権交換入力ページ画像ＧＺ１１は、図２６に示すように、「リンク」欄ＧＺＱ、「投票総数等情報」欄ＧＺ１１．２、「変換入力情報」欄ＧＺ１１．３、「変換実行」ＧＺ１１．４を表示する。「投票総数等情報」欄ＧＺ１１．２は、「投票総数」、「投票権総数」及び「ゲーム総得点」を表示して構成される。「交換入力情報」欄ＧＺ１１．３は、「投票権変換レート：ゲーム得点５０＝投票権１」、「投票権数（入力欄）」を表示して構成される。
「投票権数（入力欄）」は、ゲーム得点を投票権に変換する投票権数を入力する欄である。
【０１５５】
各ファン支援者端末Ｘ，Ｘ，…において、ファン支援者Ｆは、支援者端末入力部２を操作して、「交換入力情報」欄ＧＺ１１．３の「投票権数」に投票権数を入力して、「変換実行」を操作（リンク）する。
例えば、ファン支援者は、図２６に示すように、「投票権数：４」を入力して、「変換実行」を操作する。
支援者端末制御部５は、ファン支援者の入力操作（変換実行操作）に基づいて、投票権変換要求、及び「投票権数」を管理サーバ端末Ｙ３に送信する（図５２：ＳＴ６０５）。
【０１５６】
管理サーバ端末Ｙ３において、管理サーバ制御部１４は、投票変換要求、及び「投票権数」を受信すると（図５３：ＳＴ６１１）、投票権変換要求・ファン支援者の「支援者ユーザ名」に基づいて、ファン支援者ゲーム総得点情報テーブルＴＢ６から「ゲーム総得点」を読出す。
例えば、管理サーバ制御部１４は、投票権変換要求・ファン支援者の「支援者ユーザ名：A＠gmail.com」に基づいて、「ゲーム総得点：200」を読出す。
【０１５７】
続いて、管理サーバ制御部１４は、「ゲーム総得点」−「投票権数に相当するゲーム得点（以下、「相当・ゲーム得点」と称する）」を演算（減算）し、「ゲーム総得点≧相当・ゲーム得点」を満たすと（図５３：ＳＴ６１２，Ｙ）、投票権変換要求・ファン支援者の「ゲーム総得点」から「相当・ゲーム得点」を減算して、情報テーブルＴＢ６を更新記録する（図５３：ＳＴ６１３）。
「相当・ゲーム得点」は、例えば、ゲーム得点：５０を投票権：１に変換するもので、投票権数×５０枚となる。
例えば、管理サーバ制御部１４は、投票権変換要求・ファン支援者の「支援者ユーザ名：A＠gmail.com」、「投票権数：４」を受信すると、「ゲーム総得点：２００」−「投票権数：４×５０＝２００」を演算（減算）して、「ゲーム総得点：０」を情報テーブルＴＢ５に更新記憶する。
これにより、管理サーバ制御部１４は、情報テーブルＴＢ６を管理データベースＤＢに更新記録する。
また、各ファン支援者は、ゲーム得点を投票権に変換できる。
【０１５８】
一方、管理サーバ制御部１４は、「ゲーム総得点」＜「相当・ゲーム得点」であると（図５１：ＳＴ６１２，Ｎ）、端末識別ＩＤに基づいて、ゲーム総得点・不足画像データを各ファン支援者端末（投票権変換要求したファン支援者端末）Ｘ，Ｘ，…に送信する（図５３：ＳＴ６１４）。
【０１５９】
各ファン支援者端末Ｘ，Ｘ，…において、支援者端末制御部１４は、ゲーム総得点・不足画像データを受信すると（図５３：ＳＴ６０６，Ｙ）、ゲーム総得点・不足画像（図示しない）を支援者端末表示部１に表示する。
【０１６０】
＜投票処理：ＳＴ７００＞
投票処理：ＳＴ７００は、各ファン支援者端末Ｘ，Ｘ，…において、投票権をアイドル候補生に投票する。
【０１６１】
各ファン支援者端末Ｘ，Ｘ，…及び管理者端末装置（管理サーバ端末Ｙ３）は、支援者トップページ画像閲覧処理（ＳＴ２０１〜ＳＴ２０７）を実行して、図１９に示すように、支援者トップページ画像ＧＺ４を各ファイル支援端末Ｘ，Ｘ，…の支援者端末表示部１に表示する。
【０１６２】
各ファイル支援者端末Ｘ，Ｘ，…において、各ファン支援者は、支援者端末入力部２を操作して、支援者トップページ画像ＧＺ４で「マイ候補生」欄ＧＺ４．１又は「既存・非マイ候補生」欄ＧＺ４．２の任意の「投票」を操作（リンク）する（図５４：ＳＴ７０１）。
例えば、投票するファン支援者Ｆ１は、図１９に示すように、「候補生名前：GK  CCK」の「投票」を操作して、投票対象・アイドル候補生を特定する。
支援者端末制御部１４は、ファン支援者の入力操作（投票操作）に基づいて、投票入力ページ画像要求、及び投票対象・アイドル候補生の「候補生ユーザ名（アイドル候補生の識別情報）」を管理サーバ端末Ｙに送信する。
例えば、支援者端末制御部１４は、「候補生名前：GK  CCK」の「投票」を操作すると、投票入力閲覧要求、及び投票対象・アイドル候補生の「候補生ユーザ名：OG＠GMAIL.COM（識別情報）」を管理サーバ端末Ｙ３に送信する。
【０１６３】
管理サーバ端末Ｙ３において、管理サーバ制御部１４は、投票入力閲覧要求、及び「候補生ユーザ名」を受信すると（図５５：ＳＴ７０５）、投票・ファン支援者の「支援者ユーザ名」に基づいて、ファン支援者ゲーム総得点情報テーブルＴＢ６から「投票総数」、「投票権総数」及び「ゲーム総得点」を読出す（以下、「投票総数等情報」と称する）。
例えば、管理サーバ制御部１４は、投票・ファン支援者の「支援者ユーザ名：A＠gmail.com」に基づいて、情報テーブルＴＢ６から「投票総数：450」、「投票権総数：280」及び「ゲーム総得点:200」を読出す。
管理サーバ制御部１４は、情報テーブルＴＢ６から全ての「支援者ユーザ名」の「投票権総数」を読出して、各「支援者ユーザ名」の投票権総数順位を演算する（投票権総数順位情報）。
【０１６４】
管理サーバ制御部１４は、投票するファン支援者（以下、「投票・ファン支援者」と称する）の「支援者ユーザ名」及び投票対象・アイドル候補生の「候補生ユーザ名」に基づいて、マイ候補生情報テーブルＴＢ２．１，ＴＢ２．２，…から「個別投票総数」及び「候補生画像ファイル番号／画像識別番号」を読出す（以下、「個別得票総数等情報」と称する）。
例えば、管理サーバ制御部１４は、投票・ファン支援者の「支援者ユーザ名A＠gmail.com」から情報テーブルＴＢ２．１を認識し、投票対象・アイドル候補生の「候補生ユーザ名：GO＠GMAIL.COM」の「個別投票総数：350」及び「候補生画像ファイルＡＧＦ１／画像識別番号１」を読出す。
【０１６５】
また、管理者サーバ制御部１４は、投票対象・アイドル候補生の「候補生ユーザ名」に基づいて、アイドル候補生得票総数情報テーブルＴＢ４から「得票総数」を読出す。
例えば、管理サーバ制御部１５は、投票対象・アイドル候補生の「候補生ユーザ名：OG＠GMAIL.COM」から「得票総数：1250」を読出す。
管理サーバ制御部１４は、情報テーブルＴＢ４から全ての「候補生ユーザ名」の「得票総数」を読出して、各「候補生ユーザ名」の得票総数順位を演算する（得票総数順位情報）。
【０１６６】
管理サーバ制御部１４は、投票入力ページ画像要求、投票総数情報、投票権総数順位情報及び個別得票総数等情報を管理サーバ画像合成部１３に出力する。
管理サーバ画像合成部１４は、投票総数情報、投票権総数順位情報及び個別投票数情報に基づいて、管理サーバ画像記憶部１２の運営ページ画像ファイルＧＦから基礎画像データ及び記号画像データを読出し、更に投票対象・アイドル候補生の「候補生画像ファイル番号／画像識別番号」に基づいて、候補生ファイル番号から画像識別番号の候補生画像データ（投票対象・アイドル候補生の候補生画像データ）を読出し、これら画像データを合成して、投票入力ページ画像データを構築する。
管理サーバ制御部１４は、端末識別ＩＤに基づいて、投票入力ページ画像データを各ファン支援者端末（投票入力ページ画像要求したファン支援者端末）Ｘ，Ｘ，…に送信する（図５５：ＳＴ７０６）。
【０１６７】
各ファン支援者端末Ｘ，Ｘ，…において、支援者端末制御部５は、投票入力ページ画像データを受信すると、投票入力ページ画像ＧＺ１２を支援者端末表示部１に表示する（図５４：ＳＴ７０２）。
投票入力ページ画像ＧＺ１２は、図２７に示すように、「リンク」欄ＧＺＱ、「支援者情報」欄ＧＺ１２．２、「候補生情報」欄ＧＺ１２．３、「投票入力情報」欄ＧＺ１２．４及び「投票実行」ＧＺ１２．５を表示する。「支援者情報」欄ＧＺ１２．２は、「投票総数」、「投票権総数」、「投票権総数順位」及び「ゲーム総得点」を表示して構成される。「候補生情報」欄ＧＺ１２．３は、「候補生名前」、「得票総数順位」、「得票総数」、「個別投票数」及び候補生画像を表示して構成される。「投票入力情報」欄ＧＺ１２．４は、「投票数（入力欄）」を表示して構成される。
例えば、投票・ファン支援者（「支援者ユーザ名：A＠gmail.com」）」、及び投票対象・アイドル候補生Ａ１（「候補生ユーザ名：OG＠GMAIL.COM」）に対して、「支援者情報」欄ＧＺ１２．１は、「投票総数：300」、「投票権総数：280」、「投票権総数順位：1269/2560」及び「ゲーム総得点：200」を表示する（投票・ファン支援者Ｆ１に関する各種情報）。「候補生情報」欄ＧＺ１２．３は、「候補生名前：GK  CCK」、「得票総数順位：1/1332」、「得票総数：1250」、「個別投票数：350」及び候補生画像ＧＡを表示する（投票対象・アイドル候補生Ａ１に関する各種情報）。
【０１６８】
続いて、各ファン支援者端末Ｘ，Ｘ，…において、各ファン支援者は、支援者端末入力部２を操作して、図２７に示すように、「投票入力情報」欄ＧＺ１２．４の「投票数（入力欄）に投票数を入力して、「投票実行」を操作（リンク）する。
例えば、投票・ファン支援者Ｆ１は、「投票数：200」を入力して、「投票実行」を操作する。
支援者端末制御部１４は、ファン支援者の入力操作（投票実行操作）に基づいて、投票要求、投票対象・アイドル候補生の「候補生ユーザ名」及び投票数を管理サーバ端末Ｙ３に送信する（図５４：ＳＴ７０３）。
【０１６９】
管理サーバ端末Ｙ３において、管理サーバ制御部１４は、投票要求、投票対象・アイドル候補生の「候補生ユーザ名」及び投票数を受信すると（図５５：ＳＴ７０７）、投票・ファン支援者の「支援者ユーザ名」に基づいて、ファン支援者ゲーム総得点情報テーブルＴＢ６から「投票権総数」を読出す。
例えば、管理サーバ制御部１４は、投票・ファン支援者の「支援者ユーザ名：A＠gmail.com」に基づいて、情報テーブルＴＢ６から「投票権総数：280」を読出す。
【０１７０】
続いて、管理サーバ制御部１４は、「投票権総数」−「投票数」を演算（減算）して（図５５：ＳＴ７０８）、「投票権総数」≧「投票数」を満たすと（図５５：ＳＴ７０９，Ｙ）、投票・ファン支援者の「投票権総数」から「投票数」を減算して、図１２に示すように、情報テーブルＴＢ６に更新記憶する（図５３：ＳＴ７１０）。
例えば、管理サーバ制御部１４は、投票・ファン支援者の「支援者ユーザ名：A＠gmail.com」について「投票数:200」を受信すると、投票・ファン支援者の「投票権総数:280」から「投票数:200」を減算して、「投票権総数80」を情報テーブルＴＢ６に更新記憶する。
また、管理サーバ制御部１４は、投票・ファン支援者の「支援者ユーザ名」に基づいて、情報テーブルＴＢ６から「投票総数」を読出し、「投票総数」に「投票数」を加算して、情報テーブルＴＢ６を更新記憶する。
例えば、管理サーバ制御部１４は、「投票数:200」を受信すると、投票・ファン支援者の「支援者ユーザ名：A＠gmail.com」に基づいて、情報テーブルＴＢ６から「投票総数：450」を読出し、「投票総数：450」に「投票数：200」を加算して、「投票総数：650」を情報テーブルＴＢ６に更新記憶する（図１２参照）。
【０１７１】
管理サーバ制御部１４は、投票対象・アイドル候補生の「候補生ユーザ名」に基づいて、アイドル候補生得票総数情報テーブルＴＢ４から「得票総数」を読出し、「得票総数」に「投票数」を加算して、情報テーブルＴＢ４を更新記憶する。
例えば、管理サーバ制御部１４は、「投票数:200」を受信すると、投票対象・アイドル候補生の「候補生ユーザ名：GO@GMAIL.COM」に基づいて、情報テーブルＴＢ４から「得票総数：1250」を読出し、「得票総数：1250」に「投票数:200」を加算して、投票・ファン支援者の「得票総数：1450」を情報テーブルＴＢ４に更新記憶する（図１０参照）。
【０１７２】
管理サーバ制御部１４は、投票・ファン支援者の「支援者ユーザ名」及び投票対象・アイドル候補生の「候補生ユーザ名」に基づいて、マイ候補生情報テーブルＴＢ２．１，ＴＢ２．２，…から「個別投票総数」を読出し、投票対象・アイドル候補生の「個別投票総数」に「投票数」を加算して、情報テーブルＴＢ２．１，Ｔ２．２，…に更新記憶する。
例えば、管理サーバ制御部１４は、「投票数：200」を受信すると、投票・ファン支援者の「支援者ユーザ名：A＠gmail.com」及び投票対象・アイドル候補生の「候補生ユーザ名（投票対象）：OG＠GMAIL.COM」に基づいて、情報テーブルＴＢ２．１から「投票総数：350」を読出し、「投票総数：350」に「投票数：200」を加算して、「投票総数：550」を情報テーブルＴＢ２．１に更新記憶する（図８参照）。
【０１７３】
管理サーバ制御部１４は、投票対象・アイドル候補生の「候補生ユーザ名」及び投票・ファン支援者の「支援者ユーザ名」に基づいて、マイ支援者情報テーブルＴＢ７．１，ＴＢ７．２，ＴＢ７．３，…から「個別投票総数」を読出し、投票・ファン支援者の「個別投票総数」に「投票数」を加算して、情報テーブルＴＢ７．１，ＴＢ７．２，ＴＢ７.３，…を更新記憶する。
例えば、管理サーバ制御部１４は、投票対象・アイドル候補生の「候補生ユーザ名：OG＠GMAIL.COM」、投票・ファン支援者の「支援者ユーザ名：A＠gmail.com」及び「投票数：200」を受信すると、情報テーブルＴＢ７．１から「支援者ユーザ名：A＠gmail.com」の「投票総数：350」を読出し、投票・ファン支援者の「個別投票総数：350」に「投票数：200」を加算して、「投票総数:550」を情報テーブル７．１に更新記憶する（図１３参照）。
【０１７４】
更に、管理サーバ制御部１４は、「候補生ユーザ名（投票対象）」及び「支援者ユーザ名」に基づいて、マイ支援者情報テーブルＴＢ７．１，ＴＢ７．２，ＴＢ７．３，…を検索して、投票・ファン支援者の「支援者ユーザ名」の登録を認証しないと、ファン支援者個別情報テーブルＴＢ１から投票・ファン支援者の「ニックネーム」、「支援者画像ファイル番号／画像識別番号」を読出す。
続いて、管理サーバ制御部１４は、投票・ファン支援者の「支援者ユーザ名」、「ニックネーム」及び「支援者画像ファイル番号／画像識別番号」を投票・ファン支援者の情報テーブルＴＢ７．１，ＴＢ７．２，…に更新記憶する。
更に、管理サーバ制御部１４は、アイドル候補生支援者総数情報テーブルＴＢ５から投票対象・アイドル候補生の「候補生ユーザ名」の「支援者総数」を読出し、「支援者総数」に「１」を加算して、情報テーブルＴＢに更新記憶する。
これより、管理サーバ制御部１４は、情報テーブルＴＢ６、ＴＢ４、ＴＢ５、ＴＢ７．１，ＴＢ７．２，…を管理データベースＤＢに更新記録する。
また、各ファン支援者は、投票権を使用してアイドル候補生に投票できる。
【０１７５】
＜支援者用閲覧処理：ＳＴ８００＞
支援者用閲覧処理ＳＴ８００は、各ファン支援者端末Ｘ，Ｘ，…において、ランキングトップページ画像ＧＺ１３、得票総数ランキング一覧ページ画像ＧＺ１４、支援者総数ランキング一覧ページ画像ＧＺ１５、ゲーム総得点ランキング一覧ページ画像ＧＺ１６、投票権総数ランキング一覧ページ画像ＧＺ１７、マイ候補生一覧ページ画像ＧＺ１８及び候補生一覧ページ画像ＧＺ１９を支援者端末表示部１に表示する。
支援者用閲覧処理ＳＴ８００は、ランキングトップページ画像閲覧処理、ファン支援者総数ランキング閲覧処理、ゲーム総得点ランキング閲覧処理、投票権総数ランキング閲覧処理、マイ候補生一覧閲覧処理、候補生一覧閲覧処理、及び候補生プロフィール閲覧処理を実行する。
【０１７６】
＜１＞ランキングトップページ閲覧処理（ＳＴ８０１〜ＳＴ８０４）
ランキングトップページ閲覧処理は、各ファン支援者端末Ｘ，Ｘ，…において、ランキングトップページ画像ＧＺ１３を支援者端末表示部１に表示する。
【０１７７】
各ファン支援者端末Ｘ，Ｘ，…及び管理者端末装置Ｙ（管理サーバ端末Ｙ３）は、支援者トップページ画像閲覧処理（ＳＴ２０１〜ＳＴ２０７）を実行して、図１９に示すように、支援者トップページ画像ＧＺ４を各ファン支援者端末Ｘ，Ｘ，…の支援者端末表示部１に表示する。
続いて、各ファン支援者端末Ｘ，Ｘ，…において、各ファン支援者は、支援者端末入力部２を操作して、支援者トップページ画像ＧＺ４で「リンク」欄ＧＺ４．１の「ランキング」を操作（リンク）する（図５６：ＳＴ８０１）。
支援者端末制御部５は、ファン支援者の入力操作（ランキング操作）に基づいて、ランキング閲覧要求を管理サーバ端末Ｙ３に送信する。
【０１７８】
管理サーバ端末Ｙ３において、管理サーバ制御部１４は、ランキング閲覧要求を受信すると（図５６：ＳＴ８０３）、ランキングページ画像要求を管理サーバ画像合成部１３に出力する。
管理サーバ画像合成部１３は、管理サーバ画像記憶部１１の運営ページ画像ファイルＧＦから基礎画像データ及び記憶画像データを読出し、ランキングページ画像データを構築（合成）する。
管理サーバ制御部１４は、端末識別ＩＤに基づいて、ランキングページ画像データを各ファン支援者端末（ランキング閲覧要求したファン支援者端末）Ｘ，Ｘ，…に送信する（図５６：ＳＴ８０４）。
【０１７９】
各ファン支援者端末Ｘ，Ｘ，…において、支援者端末制御部５は、ランキングページ画像データを受信すると、図２８に示すように、ランキングページ画像ＧＺ１３を支援者端末表示部１に表示する（図５２：ＳＴ８０２）。
ランキングページ画像ＧＺ１３は、図２８に示すように、「リンク」欄ＧＺｒを表示する。「リンク」欄ＧＺｒは、「得票総数」、「支援者総数」、「ゲーム総得点」、「投票権総数」を表示して構成される。
【０１８０】
＜２＞得票総数ランキング閲覧処理（ＳＴ８０５〜ＳＴ８０８）
得票総数ランキング閲覧処理は、各ファン支援者端末Ｘ，Ｘ，…において、得票総数ランキング一覧ページ画像ＧＺ１４を支援者端末表示部１に表示する。
【０１８１】
各ファン支援者端末Ｘ，Ｘ，…において、各ファン支援者は、支援者端末入力部２を操作して、ランキングページ画像ＧＺ１３で「リンク」欄ＧＺｒの「得票総数」を操作（リンク）する（図５７：ＳＴ８０５）。
支援者端末制御部５は、ファン支援者の入力操作（得票総数操作）に基づいて、得票総数閲覧要求を管理サーバ端末Ｙ３に送信する。
【０１８２】
管理サーバ端末Ｙ３において、管理サーバ制御部１４は、得票総数閲覧要求を受信すると（図５７：ＳＴ８０７）、アイドル候補生個人情報テーブルＴＢ３から全ての「候補生ユーザ名」について、「名前」、「身長」、「年齢」及び「候補生画像ファイル番号／画像識別番号」を読出し、及びアイドル候補生得票総数情報テーブルＴＢ４から全ての「候補生ユーザ名」の「得票総数」を読出す（以下、「得票総数ランキング情報」と称する）。
管理サーバ端末１４は、得票総数閲覧要求・ファン支援者の「支援者ユーザ名」に基づいて、マイ候補生情報テーブルＴＢ２．１，ＴＢ２．２，ＴＢ２．３，…から全てのマイ候補生の「候補生ユーザ名」を読出し（以下、「マイ候補生ユーザ名」と称する）、更にアイドル候補生個人情報テーブルＴＢ３からマイ候補生の「候補生ユーザ名」を除く、全ての「候補生ユーザ名」を読出す（以下、「非マイ候補生ユーザ名情報」と称する）。
また、管理サーバ制御部１４は、全ての「候補生ユーザ名」の「得票総数」に基づいて、各「候補生ユーザ名」の得票総数順位を演算する（「得票総数順位情報」）。
続いて、管理サーバ制御部１４は、得票総数画像要求、得票総数ランキング情報、非マイ候補生ユーザ名情報及び得票総数順位情報を管理サーバ画像合成部１３に出力する。
【０１８３】
管理サーバ画像合成部１３は、得票総数ランキング情報、非マイ候補生ユーザ名情報及び得票総数順位情報に基づいて、管理サーバ画像記憶部１１の運営ページファイルＧＦから基礎画像データ及び記号画像データを読出し、及び「候補生画像ファイル番号／画像識別番号」に基づいて、各候補生画像ファイルＡＧＦ１，ＡＧＦ２，ＡＧＦ３，…から画像識別番号の候補生画像データを読出し、これら画像データを合成して、得票総数ランキング一覧ページ画像（得票総数ランキング画像）データを構築する。
得票総数ランキング一覧ページ画像データは、「得票総数順位」に各アイドル候補生の個人情報（「候補生名前」、「身長」、「年齢」、「アイドル候補生画像データ」）、「得票総数」を対応付けて成る。
管理サーバ制御部１４は、端末識別ＩＤに基づいて、得票総数ランキング一覧ページ画像データを各ファン支援者端末（得票総数ランキング閲覧要求したファン支援者端末）Ｘ，Ｘ，…に送信する（図５７：ＳＴ８０８）。
【０１８４】
各ファン支援者端末Ｘ，Ｘ，…において、支援者端末制御部１４は、得票総数ランキング一覧ページ画像データを受信すると、図２８に示すように、得票総数ランキング画像ＧＺ１４を支援者端末表示部１に表示する（図５７：ＳＴ８０６）。
得票総数ランキング画像ＧＺ１４は、図２８に示すように、「リンク」欄ＧＺｒ、及び「得票総数ランキング候補生情報」欄ＧＺ１４．１を表示する。「得票総数ランキング候補生情報」欄ＧＺ１４．１は、各候補生画像を得票総数順位に並べて表示し、各候補生画像に対応して「候補生名前」、「身長」、「年齢」、「得票総数」、「得票総数順位」及び「投票」を表示して構成される。
また、「得票総数ランキング候補生情報」欄ＧＺ１４．１は、非マイ候補生に対応して「候補生追加」を表示する。
更に、「得票総数ランキング候補生情報」欄ＧＺ１４．１は、「得票総数順位」に各アイドル候補生の個人情報（「候補生名前」、「身長」、「年齢」、「候補生画像」）、「得票総数」、「投票」を対応付けて成る。
これより、各ファン支援者は、各アイドル候補生の得票総数及び順位を閲覧できる。
【０１８５】
＜３＞ファン支援者総数ランキング閲覧処理（ＳＴ８０５〜ＳＴ８０８）
ファン支援者総数ランキング閲覧処理は、各ファン支援者端末Ｘ，Ｘ，…において、ファン支援者総数ランキング一覧ページ画像ＧＺ１５（図２９参照）を支援者端末表示部１に表示する。
【０１８６】
各ファン支援者端末Ｘ，Ｘ，…において、各ファン支援者は、支援者端末入力部２を操作して、ランキングページ画像ＧＺ１３で「リンク」欄ＧＺｒの「支援者総数」を操作（リンク）する（図５７：ＳＴ８０５）。
支援者端末制御部５は、ファン支援者の入力操作（支援者総数操作）に基づいて、支援者総数閲覧要求を管理サーバ端末Ｙ３に送信する。
【０１８７】
管理サーバ端末Ｙ３において、管理サーバ制御部１４は、支援者総数閲覧要求を受信すると（図５７：ＳＴ８０７）、アイドル候補生個人情報テーブルＴＢ３から全ての「候補生ユーザ名」の「名前」、「身長」、「年齢」及び「候補生画像ファイル番号／画像識別番号」を読出し、及びアイドル候補生支援者総数情報テーブルＴＢ５から全てのアイドル候補生の「候補生ユーザ名」の「支援者総数」を読出す（以下、「支援者総数ランキング情報」と称する）。
管理サーバ制御部１４は、マイ候補生ユーザ名及び非マイ候補生ユーザ名情報を読出す。
また、管理サーバ制御部１４は、全ての「候補生ユーザ名」の「支援者総数」に基づいて、各「候補生ユーザ名」の支援者総数順位を演算する（以下、「支援者総数順位情報」と称する）。
続いて、管理サーバ制御部１４は、支援者総数画像要求、支援者総数ランキング情報、非マイ候補生ユーザ名情報及び支援者総数順位情報を管理サーバ画像合成部１３に出力する。
【０１８８】
管理サーバ画像合成部１３は、支援者総数ランキング情報、非マイ候補生ユーザ名情報及び支援者総数順位情報に基づいて、管理サーバ画像記憶部１１の運営ページ画像ファイルＧＦから基礎画像データ及び記号画像データを読出し、及び「候補生画像ファイル番号／画像識別番号」に基づいて、各候補生画像ファイル番号から画像識別番号の候補生画像データを読出し、これら画像を合成して、支援者総数ランキング一覧ページ画像（支援者総数ランキング画像）データを構築する。支援者総数ランキング一覧ページ画像データは、「支援者総数順位」に各アイドル候補生の個人情報（「候補生名前」、「身長」、「年齢」、「候補生画像データ」）、「支援者総数」を対応付けて成る。
管理サーバ制御部１４は、端末識別ＩＤに基づいて、支援者総数ランキング一覧ページ画像データを各ファン支援者端末Ｘ，Ｘ，…に送信する（図５７：ＳＴ８０８）。
【０１８９】
各ファン支援者端末Ｘ，Ｘ，…において、支援者端末制御部５は、支援者総数ランキング一覧ページ画像データを受信すると、図２９に示すように、支援者総数ランキング画像ＧＺ１５を支援者端末表示部１に表示する（図５７：ＳＴ８０６）。
支援者総数ランキング画像ＧＺ１５は、図２９に示すように、「リンク」欄ＧＺｒ、及び「支援者総数ランキング候補生情報」欄ＧＺ１５．１を表示する。「支援者総数ランキング候補生情報」ＧＺ１５．１は、各候補生画像を支援者総数順位に並べて表示し、各候補生画像に対応して「候補生名前」、「身長」、「年齢」、「支援者総数」、「支援者総数順位」及び「投票」を表示して構成される。また、「支援者総数ランキング候補生情報」欄ＧＺ１５、１は、非マイ候補生の候補生画像に対応して、「候補生追加」を表示して構成される。
更に、「支援者総数ランキング候補生情報」欄ＧＺ１５．１は、「支援者総数順位」に各アイドル候補生の個人情報（「候補生名前」、「身長」、「年齢」、「候補生画像」）、「支援者総数」、「投票」を対応付けてなる。
これにより、各ファン支援者は、各アイドル候補生を支援する支援者総数及び順位を閲覧できる。
【０１９０】
＜４＞ゲーム総得点ランキング閲覧処理（ＳＴ８０５〜ＳＴ８０８）
ゲーム総得点ランキング閲覧処理は、各ファン支援者端末Ｘ，Ｘ，…において、ゲーム総得点ランキング一覧ページ画像ＧＺ１６を支援者端末表示部１に表示する。
【０１９１】
各ファン支援者端末Ｘ，Ｘ，…において、各ファン支援者は、支援者端末入力部２を操作して、ランキングページ画像ＧＺ１３で「リング」欄ＧＺｒの「ゲーム総得点」を操作（リンク）する（図５７：ＳＴ８０５）。
支援者端末制御部５は、ファン支援者の入力操作（ゲーム総得点操作）に基づいて、ゲーム総得点閲覧要求を管理サーバ端末Ｙ３に送信する。
【０１９２】
管理サーバ端末Ｙ３において、管理サーバ制御部１４は、ゲーム総得点閲覧要求を受信すると（図５７：ＳＴ８０７）、ファン支援者個人情報テーブルＴＢ１から全ての「支援者ユーザ名」の「ニックネーム」及び「支援者画像ファイル番号／画像識別番号」を読出し、及びファン支援者ゲーム総得点情報テーブルＴＢ６から全ての「支援者ユーザ名」の「ゲーム総得点」を読出す（以下、「ゲーム総得点ランキング情報」と称する）。
また、管理サーバ制御部１４は、全ての「支援者ユーザ名」の「ゲーム総得点」に基づいて、各「支援者ユーザ名」のゲーム総得点順位を演算する（ゲーム総得点順位情報）。
管理サーバ制御部１４は、ゲーム総得点画像要求、ゲーム総得点ランキング情報、及びゲーム総得点順位情報を管理サーバ画像合成部１３に出力する。
【０１９３】
管理サーバ画像合成部１３は、ゲーム総得点ランキング情報及びゲーム総得点順位情報に基づいて、管理サーバ画像記憶部１１の運営ページ画像ファイルＧＦから基礎画像データ及び記号画像データを読出し、及び「支援者画像ファイル番号／画像識別番号」に基づいて、各支援者画像ファイルから画像識別番号の支援者画像データを読出し、これら画像を合成して、ゲーム総得点ランキング一覧ページ画像（ゲーム総得点ランキング画像）データを構築する。ゲーム総得点ランキング一覧ページ画像データは、「ゲーム総得点順位」に各ファン支援者の個人情報（「支援者ニックネーム」、「支援者画像データ」）、「ゲーム総得点」を対応付けて成る。
管理サーバ制御部１４は、端末識別ＩＤに基づいて、ゲーム総得点ランキング一覧ページ画像データを各ファン支援者端末（ゲーム総得点ランキング閲覧要求したファン支援者端末）Ｘ，Ｘ，…に送信する（図５７：ＳＴ８０８）。
【０１９４】
各ファン支援者端末Ｘ，Ｘ，…において、支援者端末制御部５は、ゲーム総得点ランキング画像データを受信すると、図３０に示すように、ゲーム総得点ランキング画像ＧＺ１６を支援者端末表示部１に表示する（図５７：ＳＴ８０６）。
ゲーム総得点ランキング画像ＧＺ１６は、図３０に示すように、「リンク」欄ＧＺｒ、及び「ゲーム総得点ランキング支援者情報」欄ＧＺ１６．１を表示する。「ゲーム総得点ランキング支援者情報」欄ＧＺ１６．１は、各支援者画像をゲーム総得点順位に並べて表示し、各支援者画像に対応して「支援者ニックネーム」、「ゲーム総得点」及び「ゲーム総得点順位」を表示して構成される。
また、「ゲーム総得点ランキング支援者情報」欄ＧＺ１６．１は、「ゲーム総得点順位」に各ファン支援者端末の個人情報（「支援者ニックネーム」、「支援者画像」）、「ゲーム総得点」を対応付けて成る。
これにより、各ファン支援者は、ファン支援者のゲーム総得点及び順位を閲覧できる。
【０１９５】
＜５＞投票権総数ランキング閲覧処理（ＳＴ８０５〜ＳＴ８０８）
投票権総数ランキング閲覧処理は、各ファン支援者端末Ｘ，Ｘ，…において、投票権総数ランキング一覧ページ画像ＧＺ１７を支援者端末表示部１に表示する。
【０１９６】
各ファン支援者端末Ｘ，Ｘ，…において、各ファン支援者Ｆ１，Ｆ２，Ｆ３，…は、支援者端末入力部２を操作して、ランキングページ画像ＧＺ１３で「リンク」欄ＧＺｒの「得票権総数」を操作（リンク）する（図５７：ＳＴ８０５）。
支援者端末制御部５は、ファン支援者の入力操作（投票権総数操作）に基づいて、投票権総数閲覧要求を管理サーバ端末Ｙ３に送信する。
【０１９７】
管理サーバ端末Ｙ３において、管理サーバ制御部１４は、投票権総数閲覧要求を受信すると（図５７：ＳＴ８０７）、ファン支援者個人情報テーブルＴＢ１から全ての「支援者ユーザ名」の「ニックネーム」及び「支援者画像ファイル番号／画像識別番号」を読出し、更にファン支援者ゲーム総得点情報テーブルＴＢ６から全ての「支援者ユーザ名」の「投票権総数」を読出す（以下、「投票権総数ランキング情報」と称する）。
また、管理サーバ制御部１４は、全ての「支援者ユーザ名」の「投票権総数」に基づいて、各「支援者ユーザ名」の投票権総数順位を演算する（投票権総数順位情報」）。
管理サーバ制御部１４は、投票権総数画像要求、投票権総数ランキング情報及び投票権総数順位情報を管理サーバ画像合成部１３に出力する。
【０１９８】
管理サーバ画像合成部１３は、投票権総数ランキング情報、及び投票権総数順位情報に基づいて、管理サーバ画像記憶部１１の運営ページ画像ファイルＧＦから基礎画像データ及び記号画像データを読出し、更に「支援者画像ファイル番号／画像識別番号」に基づいて、各支援者画像ファイルから画像識別番号の支援者画像データを読出し、これら画像データを合成して、投票権総数ランキング一覧ページ画像（投票権総数ランキング画像）データを構築する。投票権総数ランキング一覧ページ画像データは、「投票権総数順位」に各ファン支援者の個人情報（「支援者ニックネーム」、「支援者画像データ」）、「投票権数」を対応付けて成る。
管理サーバ制御部１４は、端末識別ＩＤに基づいて、投票権総数ランキング一覧ページ画像データを各ファン支援者端末Ｘ，Ｘ，…に送信する（図５７：ＳＴ８０８）。
【０１９９】
各ファン支援者端末Ｘ，Ｘ，…において、支援者端末制御部５は、投票権総数ランキング一覧ページ画像データを受信すると、図３１に示すように、投票権総数ランキング一覧ページ画像ＧＺ１７を支援者端末表示部１に表示する（図５７：ＳＴ８０６）。
投票権ランキング一覧ページ画像ＧＺ１７は、図３１に示すように、「リンク」欄ＧＺｒ、及び「得票権総数ランキング支援者情報」欄ＧＺ１７．１を表示する。「得票権総数ランキング支援者情報」欄ＧＺ１７．１は、各支援者画像を得票権総数順位に並べて表示し、各支援者画像に対応して「支援者ニックネーム」、「投票権総数」及び「投票権総数順位」を表示して構成される。
また、「得票ランキング支援者情報」欄ＧＺ１７．１は、「投票権総数順位」に各ファン支援者の個人情報（「ファン支援者ニックネーム」、「支援者画像」）、「投票権総数」を対応付けて成る。
【０２００】
＜６＞マイ候補生一覧閲覧処理（ＳＴ８０９〜ＳＴ８１２）
マイ候補生一覧閲覧処理は、各ファン支援者端末Ｘ，Ｘ，…において、マイ候補生一覧ページ画像ＧＺ１８を支援者端末表示部１に表示する。
【０２０１】
各ファン支援者端末Ｘ，Ｘ，…及び管理者端末装置Ｙ（管理サーバ端末Ｙ３）は、支援者トップページ閲覧処理（ＳＴ２０１〜ＳＴ２０７）を実行して、図１９に示すように、支援者トップページ画像ＧＺ４を各ファン支援者端末Ｘ，Ｘ，…の支援者端末表示部１に表示する。
続いて、各ファン支援者端末Ｘ，Ｘ，…において、各ファン支援者は、支援者端末入力部２を操作して、支援者トップページ画像ＧＺ４で「マイ候補生一覧」を操作（リンク）する（図５８：ＳＴ８０９）。
支援者端末制御部５は、ファン支援者の入力操作（マイ候補生一覧操作）に基づいて、マイ候補生閲覧要求を管理サーバ端末Ｙ３に送信する。
【０２０２】
管理サーバ端末Ｙ３において、管理サーバ制御部１４は、マイ候補生閲覧要求を受信すると、「支援者ユーザ名」に基づいて、マイ候補生情報テーブルＴＢ２．１，ＴＢ２．２，ＴＢ２.３，…から全てのマイ候補生の「候補生ユーザ名」の「名前」、「身長」、「年齢」及び「候補生画像ファイル番号／画像識別番号」を読出し、更にアイドル候補生得票総数情報テーブルＴＢ４から全てのマイ候補生の「候補生ユーザ名」の「得票総数」を読出す（以下、「マイ候補生一覧情報」と称する）。
例えば、管理サーバ制御部１４は、「支援者ユーザ名：A＠gmail.com」に基づいて、情報テーブルＴＢ２．１から全てのマイ候補生の「候補生ユーザ名」の「名前」、「身長」、「年齢」及び「候補生画像ファイル番号／画像識別番号」を読出す。
また、管理サーバ制御部１４は、情報テーブルＴＢ４から全てのマイ候補生の「候補生ユーザ名」の「得票総数」を読出して、各「候補生ユーザ名」の得票総数順位を演算する（以下、「マイ候補生得票総数順位情報」と称する）。
管理サーバ制御部１４は、マイ候補生一覧画像要求、マイ候補生一覧情報及びマイ候補生得票総数順位情報を管理サーバ画像合成部１３に出力する。
管理サーバ画像合成部１３は、マイ候補生一覧情報及びマイ候補生得票総数順位情報に基づいて、管理サーバ画像記憶部１１の運営ページ画像ファイルＧＦから基礎画像データ及び記号画像データを読出し、及び「候補生画像ファイル番号／画像識別番号」に基づいて、各候補生画像ファイルＡから画像識別番号の候補生画像データ（マイ候補生の候補生画像データ）を読出し、これらの画像データを合成して、マイ候補生一覧ページ画像データを構築する。
管理サーバ制御部１４は、各端末識別ＩＤに基づいて、マイ候補生一覧ページ画像データを各支援者端末（マイ候補生閲覧要求したファン支援者端末）Ｘ，Ｘ，…に送信する（図５８：ＳＴ８１２）。
【０２０３】
各ファン支援者端末Ｘ，Ｘ，…において、支援者端末制御部５は、マイ候補生一覧ページ画像データを受信すると、図３２に示すように、マイ候補生一覧ページ画像ＧＺ１８を支援者端末表示部１に表示する（図５８：ＳＴ８１０）。
マイ候補生一覧ページ画像ＧＺ１８は、図３２に示すように、「マイ候補生一覧情報」欄ＧＺ１８．１を表示する。「マイ候補生一覧情報」欄ＧＺ１８．１は、各候補生画像（マイ候補生画像）を並べて表示し、各候補生画像に対応して「候補生名前」、「身長」、「年齢」、「得票総数」、「得票総数順位」及び「投票」を表示する。
これにより、各ファン支援者は、各マイ候補生の個人情報を閲覧できる。
【０２０４】
＜７＞候補生一覧閲覧処理（ＳＴ８０９〜ＳＴ８１２）
候補生一覧閲覧処理は、各ファン支援者端末Ｘ，Ｘ，…において、候補生一覧ページ画像ＧＺ１９を支援者端末表示部１に表示する。
【０２０５】
各ファン支援者端末Ｘ，Ｘ，…において、各ファン支援者は、ス支援者端末入力部２を操作して、支援者トップページ画像ＧＺ４で「候補生一覧」を操作（リンク）する（図５８：ＳＴ８０９）。
支援者端末制御部１４は、ファン支援者の入力操作（候補生一覧操作）に基づいて、候補生閲覧要求を管理サーバ端末Ｙ３に送信する。
【０２０６】
管理サーバ端末Ｙ３において、管理サーバ制御部１４は、候補生閲覧要求を受信すると（図５８：ＳＴ８１１）、アイドル候補生個人情報テーブルＴＢ３から全ての「候補生ユーザ名」の「身長」、「年齢」及び「候補生画像ファイル番号／画像識別情報」を読出し、更にアイドル候補生得票総数情報テーブルＴＢ４から全ての「候補生ユーザ名」の「得票総数」を読出す（以下、「候補生一覧情報」と称する）。
管理サーバ制御部１４は、候補生閲覧要求・ファン支援者の「支援者ユーザ名」に基づいて、マイ候補生情報テーブルＴＢ２．１，ＴＢ２．２，ＴＢ２．３，…から全てのマイ候補生の「候補生ユーザ名」を読出し、更にアイドル候補生個人情報テーブルＴＢ３からマイ候補生の「候補生ユーザ名」を除く、全ての「候補生ユーザ名」を読出す（非マイ候補生ユーザ名情報）。
また、管理サーバ制御部１４は、全てのマイ候補生の「候補生ユーザ名」の「得票総数」に基づいて、各「候補生ユーザ名」の得票総数順位を演算する（以下、「候補生得票総数順位情報」と称する）。
管理サーバ制御部１４は、候補生一覧画像要求、候補生一覧情報、非マイ候補生ユーザ名情報及び候補生得票総数順位情報を管理サーバ画像合成部１３に出力する。
【０２０７】
管理サーバ画像合成部１３は、候補生一覧情報、非マイ候補生ユーザ名及び候補生得票総数順位情報に基づいて、管理サーバ画像記憶部１１の運営ページ画像ファイルＧＦから基礎画像データ及び記号画像データを読出し、更に「候補生画像ファイル番号／画像識別番号」に基づいて、各候補生画像ファイルから画像識別番号の候補生画像データを読出し、これら画像データを合成して、候補生一覧ページ画像データを構築する。
管理サーバ制御部１４は、各端末識別ＩＤに基づいて、候補生一覧ページ画像データを各ファン支援者端末Ｘ，Ｘ，…に送信する（図５８：ＳＴ８１２）。
【０２０８】
各ファン支援者端末Ｘ，Ｘ，…において、支援者端末制御部５は、候補生一覧ページ画像データを受信すると、図３３に示すように、候補生一覧ページ画像ＧＺ１９を支援者端末表示部１に表示する（図５６：ＳＴ８１０）。
候補生一覧ページ画像ＧＦ１９は、図３３に示すように、「候補生一覧情報」欄ＧＺ１９．１を表示する。「候補生一覧情報」欄ＧＺ１９．１は、各候補生画像を並べて表示し、各候補生画像に対応して「候補生名前」、「身長」、「年齢」、「得票総数順位」、「得票総数」及び「投票」を表示して構成される。また、「候補生一覧情報」欄ＧＺ１９．１は、非マイ候補生の候補生画像に対応して「候補生追加」を表示して構成される。
これにより、各ファン支援者は、各アイドル候補生の個人情報を閲覧できる。
【０２０９】
＜８＞候補生プロフィール閲覧処理（ＳＴ８１３〜ＳＴ８１６）
候補生プロフィール閲覧処理は、各ファン支援者端末Ｘ，Ｘ，…において、候補生プロフィールページ画像ＧＺ２０を支援者端末表示部１に表示する。
【０２１０】
各ファン支援者端末Ｘ，Ｘ，…及び管理者端末装置Ｙ（管理サーバ端末Ｙ３）は、支援者トップページ閲覧処理（ＳＴ２０１〜ＳＴ２０７）を実行して、図１９に示すように、支援者トップページ画像ＧＺ４を各ファン支援者端末Ｘ，Ｘ，…の支援者端末表示部１に表示する。
各ファン支援者端末Ｘ，Ｘ，…において、各ファン支援者Ｆ１，Ｆ２，Ｆ３，…は、支援者端末入力部２を操作して、支援者トップページ画像ＧＺ４で「候補生名前」又は「候補生画像」を操作（リンク）する（図５９：ＳＴ８１３）。
例えば、プロフィール閲覧要求・ファン支援者は、図１９に示すように、「候補生名前：GK  CKK」又は候補生画像ＧＡを操作（リンク）する。プロフィール閲覧要求・ファン支援者は、「候補生名前」又は「候補生画像」を操作することで、プロフィール閲覧対象・アイドル候補生を特定する。
支援者端末制御部５は、ファン支援者の入力操作（候補生名前等操作）に基づいて、候補生プロフィール閲覧要求、及びプロフィール閲覧対象・アイドル候補生の「候補生ユーザ名」を管理サーバ端末Ｙ３に送信する。
【０２１１】
管理サーバ端末Ｙ３において、管理サーバ制御部１４は、候補生プロフィール閲覧要求及びプロフィール閲覧要求・アイドル候補生の「候補生ユーザ名」を受信すると（図５９：ＳＴ８１５）、プロフィール閲覧要求・アイドル候補生の「候補生ユーザ名」に基づいて、アイドル候補生個人情報テーブルＴＢ４から「名前」、「性別」、「ニックネーム」、「出身地」、「生年月日」、「血液型」、「身長」「Ｂ／Ｗ／Ｈ」及び「候補生画像ファイル番号／画像識別番号」を読出し、及びアイドル候補生得票総数情報テーブルＴＢ４から「得票総数」を読出し、更にアイドル候補生支援者総数情報テーブルＴＢ５から「支援者総数」を読出す（以下、「候補生プロフィール情報」と称する）。
例えば、管理サーバ制御部１４は、プロフィール閲覧対象・アイドル候補生の「候補生ユーザ名：GO＠GMAIL.COM」に基づいて、情報テーブルＴＢ３から「名前：GK  CCK」、「性別：女」、「ニックネーム：マリリン」、「出身地：長野県」、「生年月日：1998.02.17」、「血液型：O」、「身長：158」、「年齢:14」及び「候補生画像ファイルＡＧＦ１／画像識別番号１」を読出す。また、管理サーバ制御部１４は、プロフィール閲覧対象・アイドル候補生の「候補生ユーザ名：GO＠GMAIL.COM」に基づいて、情報テーブルＴＢ４から「得票総数：1250」を読出し、及び情報テーブルＴＢ５から「支援者総数：1269」を読出す。
管理サーバ制御部１４は、情報テーブルＴＢ６から全ての「候補生ユーザ名」の「得票総数」を読出し、閲覧要求・アイドル候補生の「候補生ユーザ名」に対する得票総数順位を演算する（以下「候補生プロフィール得票総数順情報」と称する）。
管理サーバ制御部１４は、候補生プロフィール画像要求、候補生プロフィール情報及び候補生プロフィール得票総数順位情報を管理サーバ画像合成部１３に出力する。
【０２１２】
管理サーバ画像合成部１３は、候補生プロフィール情報、及び候補生プロフィール得票総数情報に基づいて、管理サーバ画像記憶部１１の運営ページ画像ファイルＧＦから基礎画像データ及び記号画像データを読出し、更に閲覧要求・アイドル候補生の「候補生画像ファイル番号／画像識別番号」に基づいて、候補生画像ファイルから画像識別番号のプロフィール候補生画像を読出し、これら画像を合成して、候補生プロフィールページ画像（候補生プロフィール画像）データを構築する。候補生プロフィールページ画像データは、プロフィール閲覧対象・アイドル候補生の個人情報（「候補生名前」、「性別」、「ニックネーム」、「出身」、「年齢」、「生年月日」、「血液型」、「身長」、「Ｂ／Ｗ／Ｈ」、「候補生画像データ」）、「得票総数順位」、「得票総数」、「支援者総数」で成る。
管理サーバ制御部１４は、各端末識別ＩＤに基づいて、候補生プロフィールページ画像データを各ファン支援者端末Ｘ，Ｘ，…に送信する（図５９：ＳＴ８１６）。
【０２１３】
各ファン支援者端末Ｘ，Ｘ，…において、支援者端末制御部１４は、候補生プロフィールページ画像データを受信すると、図３４に示すように、候補生プロフィールページ画像ＧＺ２０を支援者端末表示部１に表示する（図５９：ＳＴ８１４）。
候補生プロフィールページ画像ＧＺ２０は、図３４に示すように、「プロフィール概略情報」欄ＧＺ２０．１、及び「プロフィール詳細情報」欄ＧＺ２０．２を表示する。「プロフィール概略情報」欄ＧＺ２０．１は、候補生画像、「候補生名前」、「性別」、「得票総数順位」、「得票総数」、「支援者総数」及び「マイ支援者」を表示して構成される。「プロフィール詳細情報」欄ＧＺ２０．２は、「ニックネーム」、「出身地」、「年齢」、「生年月日」、「血液型」、「身長」、「Ｂ／Ｗ／Ｈ」を表示して構成される。
例えば、「プロフィール候補生ユーザ名：OG＠GMAIL.COM」について、「プロフィール概略情報」欄ＧＺ２０．１は、「候補生名前：GK  CKK」、「性別：女」、「得票総数順位：1/1332」、「得票総数：1250」、「支援者総数：1269」及び「マイ支援者」を表示し、「プロフィール詳細情報」欄ＧＺ２０．２は、「ニックネーム：マリリン」、「出身地：長野県」、「年齢：14」、「生年月日：1998.02.17」、「血液型：O」、「身長：158」及び「Ｂ／Ｗ／Ｈ：80/64/83」を表示する。
【０２１４】
また、各ファン支援端末Ｘ，Ｘ，…において、各ファン支援者Ｆ１，Ｆ２，Ｆ３，…は、支援者端末入力部２を操作して、図２７乃至図２９、図３２及び図３３に示すように、各アイドル候補生の「候補生名前」又は候補生画像を操作（リンク）しても、各ファン支援者端末Ｘ，Ｘ，…及び管理者端末装置Ｙ（管理サーバ端末Ｙ３）は、候補生プロフィールページ画像閲覧処理（ＳＴ８５１〜ＳＴ８５４）を実行して、図３４に示すように、候補生プロフィールページ画像ＧＺ２０．１を各ファン支援者端末Ｘ，Ｘ，…の支援者端末表示部１に表示する。
これにより、各ファン支援者は、アイドル候補生の詳細情報（プロフィール）を閲覧できる。
【０２１５】
＜マイ候補生追加処理：ＳＴ９００（ＳＴ９０１〜ＳＴ９０３）＞
マイ候補生追加処理は、各ファン支援者端末Ｘ，Ｘ，…において、マイ候補生情報テーブルＴＢ２．１，ＴＢ２．１，ＴＢ２．３，…に非アイド候補生に関する情報を記憶して登録する。
【０２１６】
各ファン支援者端末Ｘ，Ｘ，…及び管理者端末装置Ｙ（管理サーバ端末Ｙ３）は、支援者トップページ閲覧処理（ＳＴ２０１〜ＳＴ２０７）を実行して、図１９に示すように、支援者トップページ画像ＧＺ４を各ファン支援者端末Ｘ，Ｘ，…の支援者端末表示部１に表示する。
各ファン支援者端末Ｘ，Ｘ，…において、各ファン支援者Ｆ１，Ｆ２，Ｆ３，…は、支援者端末入力部２を操作して、支援者トップページ画像ＧＺ４で「候補生追加」を操作（リンク）する（図６０：ＳＴ９０１）。アイドル候補生の追加をする追加要求・ファン支援者は、「候補生追加」を操作して、追加対象・アイドル候補生を特定する。
支援者端末制御部１４は、候補生追加要求、及び追加対象・アイドル候補生の「候補生ユーザ名」を管理サーバ端末Ｙ３に送信する。
【０２１７】
管理サーバ端末Ｙ３において、管理サーバ制御部１４は、候補生追加要求、及び追加対象・アイドル候補生の「候補生ユーザ名」を受信すると（図６０：ＳＴ９０２）、追加対象・アイドル候補生の「候補生ユーザ名」に基づいて、アイドル候補生個人情報テールＴＢ４から「名前」、「身長」、「年齢」及び「候補生画像ファイル番号／画像識別番号」を読出し（以下、「追加候補生情報」を称する）、追加要求・ファン支援者の「支援者ユーザ名」に基づいて、追加候補生情報をマイ候補生情報テーブルＴ２．１，Ｔ２．２，ＴＢ２．３，…に更新記憶する。
例えば、管理サーバ制御部１４は、追加要求・ファン支援者の「支援者ユーザ名A＠gmail.com」について、追加対象・アイドル候補生の「候補生ユーザ名：ST＠YMAIL.COM」を受信すると、「候補生ユーザ名：ST＠YMAIL.COM」に基づいて、情報テーブルＴＢ３から「名前：SU  PK」、「身長：160」、「年齢：18」及び「候補生画像ファイル番号／画像識別番号：ＡＧＦ３／３」を読出し、「支援者ユーザ名：A＠gmail.com」に基づいて、追加候補生情報を情報テーブルＴＢ２．１に更新登録する。
【０２１８】
各ファン支援者端末Ｘ，Ｘ，…において、各ファン支援者Ｆ１，Ｆ２，Ｆ３，…は、支援者端末入力部２を操作して、図２８、図２９及び図３３に示すように、「候補生追加」を操作（リンク）しても、各ファン支援者端末Ｘ，Ｘ，…及び管理者端末装置Ｙ（管理サーバ端末Ｙ３）は、候補生追加処理（図５８：ＳＴ９０１〜ＳＴ９０３）を実行して、追加候補生情報を情報テーブルＴＢ２．１，ＴＢ２．２，ＴＢ２．３，…に更新記憶する。
これにより、管理サーバ制御部１４は、マイ候補生情報テーブルＴＢ２．１，ＴＢ２．２，ＴＢ２．３，…を管理データベースＤＢに更新記憶する。
また、各ファン支援者は、支援するアイドル候補生を自己のマイ候補生情報テーブルＴＢ２．１，ＴＢ２．２，ＴＢ２．３，…に記憶して登録できる。
【０２１９】
＜候補生用閲覧処理：ＳＴ１２００＞
候補生用閲覧処理：ＳＴ１２００は、各アイドル候補生端末Ｚ，Ｚ，…において、候補生プロフィールページ画像ＧＺ２０、及びマイ支援者一覧ページ画像ＧＺ２１を候補生端末表示部５１に表示する。
候補生用閲覧処理：ＳＴ１２００は、候補生プロフィール閲覧処理、及びマイ支援者一覧閲覧処理を実行する。
【０２２０】
＜１＞候補生プロフィール閲覧処理（ＳＴ１２０１〜ＳＴ１２０７）
候補生プロフィール閲覧処理は、各アイドル候補生端末Ｚ，Ｚ，…において、候補生プロフィールページ画像ＧＺ２０（図３４参照）を候補生端末表示部５１に表示する。
【０２２１】
各アイドル候補生端末Ｚ，Ｚ，…において、アイドル候補生Ａ１，Ａ２，Ａ３，…は、アイドル候補生登録処理（図３９：ＳＴ１１００）と同様に、ウェブページ画像（図示しない）を候補生端末表示部５１に表示する。
【０２２２】
各アイドル候補生端末Ｚ，Ｚ，…において、各アイドル候補生Ａ１，Ａ２，Ａ３，…は、候補生端末入力部５２を操作して、ウェブページ画像（図示しない）で「ＬＯＧＩＮ」を操作（リンク）する。
候補生端末制御部５４は、アイドル候補生の入力操作（ＬＯＧＩＮ操作）に基づいて、ＬＯＧＩＮ要求を管理サーバ端末Ｙ３に送信する。
【０２２３】
管理サーバ端末Ｙ３において、管理サーバ制御部１４は、ＬＯＧＩＮ要求を受信すると、管理サーバ画像合成部１３にＬＯＧＩＮ画像要求を出力する。
管理サーバ画像合成部１３は、管理サーバ画像記憶部１１の運営ページ画像ファイルＧＦから基礎画像データ及び記号画像データを読出して、ＬＯＧＩＮページ画像データを構築（合成）する。
管理サーバ制御部１４は、各端末識別ＩＤに基づいて、ＬＯＧＩＮページ画像データを各アイドル候補生端末（ＬＯＧＩＮ要求したファン支援者端末）Ｚ，Ｚ，…に送信する（図６１：ＳＴ１２０４）。
【０２２４】
各アイドル候補生端末Ｚ，Ｚ，…において、候補生端末制御部５４は、ＬＯＧＩＮページ画像データを受信すると、図１８に示すように、ＬＯＧＩＮページ画像ＧＺ３を候補生端末表示部５１に表示する（図６１：ＳＴ１２０１）。
【０２２５】
各アイドル候補生端末Ｚ，Ｚ，…において、各アイドル候補生は、候補生端末入力部５２を操作して、ＬＯＧＩＮページ画像ＧＺ３で「候補生入力情報」欄ＧＺ３．１に「候補生ユーザ名」及び「パスワード」を入力する。
例えば、アイドル候補生Ａ１は、「候補生ユーザ名：GO＠GMAIL.COM」及び「パスワード：46716ge」を入力する。
候補生端末制御部５４は、ファン候補生の入力操作（ユーザ名等入力）に基づいて、「候補生ユーザ名」及び「パスワード」を管理サーバ端末Ｙ３に送信する（図６１：ＳＴ１２０２）。
【０２２６】
管理サーバ端末Ｙ３において、管理サーバ制御部１４は、「候補生ユーザ名」及び「パスワード」を受信すると（図６１：ＳＴ１２０５）、アイドル候補生個人情報テーブルＴＢ３を検索して、アイドル候補生の登録を検証する。
管理サーバ制御部１４は、「候補生ユーザ名」及び「パスワード」がアイドル候補生個人情報テーブルＴＢ３に記録され、アイドル候補生の登録を認証すると（図６１：ＳＴ１２０６，Ｙ）、候補生プロフィール画像要求、候補生プロフィール情報及び得票総数順位情報を管理サーバ画像合成部１３に出力する。
【０２２７】
管理サーバ画像合成部１３は、候補生プロフィール情報及び得票総数順位情報に基づいて、候補生プロフィールページ画像データを構築する。
管理サーバ制御部１４は、各端末識別ＩＤに基づいて、候補生プロフィールページ画像データを各アイドル候補生端末（候補生プロフィール画像要求したファン支援者端末）Ｚ，Ｚ，…に送信する（図６１：ＳＴ１２０７）。
【０２２８】
各アイドル候補生端末Ｚ，Ｚ，…において、候補生端末制御部５４は、候補生プロフィールページ画像データを受信すると、図３４に示すように、候補生プロフィールページ画像ＧＺ２０を候補生端末表示部５１に表示する。
候補生プロフィールページ画像ＧＺ２０は、図３４に示すように、「プロフィール概略情報」欄ＧＺ２０．１及び「プロフィール詳細情報」欄ＧＺ２０．２を表示する。
【０２２９】
＜２＞マイ支援者一覧ページ画像閲覧処理（ＳＴ１２０８〜ＳＴ１２１１）
各アイドル候補生端末Ｚ，Ｚ，…及び管理者端末装置Ｙ（管理サーバ端末Ｙ３）は、候補生プロフィール閲覧処理（図６１：ＳＴ１２０１〜ＳＴ１２０７）を実行して、図３４に示すように、候補生プロフィールページ画像ＧＺ２０を各アイドル候補生端末Ｚ，Ｚ，…の候補生端末表示部５１に表示する。
各アイドル候補生端末Ｚ，Ｚ，…において、各アイドル候補生Ａ１，Ａ２，Ａ３，…は、候補生端末入力部５２を操作して、候補生プロフィールページ画像ＧＺ２０で「プロフィール概略情報」欄ＧＺ２０．１の「マイ支援者」を操作（リンク）する（図６２：ＳＴ１２０８）。
候補生端末制御部５４は、アイドル候補生の入力操作（マイ支援者操作）に基づいて、マイ支援者閲覧要求を管理サーバ端末Ｙ３に送信する。
【０２３０】
管理サーバ端末Ｙ３において、管理サーバ制御部１４は、マイ支援者閲覧要求を受信すると（図６２：ＳＴ１２１０）、マイ支援者閲覧要求・アイドル候補生の「候補生ユーザ名」に基づいて、マイ支援者情報テーブルＴＢ７．１，ＴＢ７．２，ＴＢ７．３，…から全ての「支援者ニックネーム」、「個別投票総数」及び「支援者画像ファイル番号／画像識別番号」を読出す（以下、「マイ支援者情報」と称する）。
例えば、管理サーバ制御部１４は、マイ支援者閲覧要求・アイドル候補生の「候補生ユーザ名：OG＠GMAIL.COM」に基づいて、情報テーブルＴＢ７．１からマイ支援者情報を読出す。
管理サーバ制御部１４は、マイ支援者一覧画像要求、及びマイ支援者情報を管理サーバ画像合成部１３に出力する。
【０２３１】
管理サーバ画像合成部１３は、マイ支援者情報に基づいて、管理サーバ画像記憶部１１の運営ページ画像ファイルＧＦから基礎画像データ及び記号画像データを読出し、及び「支援者画像ファイル番号／画像識別番号」に基づいて、支援者画像ファイルから画像識別番号の支援者画像を読出し、これら画像を合成して、マイ支援者一覧ページ画像データを構築する。
管理サーバ制御部１４は、各端末識別ＩＤに基づいて、マイ支援者一覧ページ画像データを各アイドル候補生端末（マイ支援者閲覧要求したアイドル候補生端末）Ｚ，Ｚ，…に送信する（図６２：ＳＴ１２１１）。
【０２３２】
各アイドル候補生端末Ｚ，Ｚ，…において、候補生端末制御部５４は、マイ支援者一覧ページ画像データを受信すると、図３５に示すように、マイ支援者一覧ページ画像ＧＺ２１を候補生端末表示部５１に表示する。
マイ支援者一覧ページ画像ＧＺ２１は、図３５に示すように、「マイ支援者情報」欄ＧＺ２１．１を表示する。「マイ支援者情報」欄ＧＺ２１．１は、各支援者画像を並べて表示し、各支援者画像に対応して「支援者ニックネーム」及び「個別投票総数」を表示して構成される。
これより、各アイドル候補生は、支援者してくれる各ファン支援者の個人情報を閲覧できる。
【０２３３】
アイドル候補生支援システムＷでは、各ファン支援者端末Ｘ，Ｘ，…、及び各アイドル候補生端末Ｚ，Ｚ，…を使用して、各ファン支援者の個人情報及び識別情報（支援者ユーザ名）、各アイドル候補生の個人情報及び識別情報（候補生ユーザ名）を管理データベースＤＢに記憶しているが、これに限定されず、管理者端末Ｙ２を使用することで、管理データベースＤＢに記憶して、各ファン支援者及び各アイドル候補生を登録できる。
【０２３４】
アイドル候補生支援システムＷにおいて、特典付与ゲームは、バトルゲーム（対戦ゲーム）に限定されず、特典付与条件を満たすことで、特典（ゲーム得点）を付与するものであれば良い。
【産業上の利用可能性】
【０２３５】
本発明は、通信情報端末、及びインターナット等のネットワークを使用して、ファン支援者がアイドル候補生に投票するものに好適である。
【符号の説明】
【０２３６】
Ｗ  アイドル候補生支援システム
Ｘ  ファン支援者端末
Ｙ  管理者端末装置
Ｙ１  管理制御手段
Ｙ２  管理者端末
Ｙ３  管理サーバ端末
Ｙ４  ゲームサーバ端末
１  支援者端末表示部（支援表示手段）
５  支援者端末制御部（支援制御手段）
【図１】
2014203253.tif 000003
【図２】
2014203253.tif 000004
【図３】
2014203253.tif 000005
【図４】
2014203253.tif 000006
【図５】
2014203253.tif 000007
【図６】
2014203253.tif 000008
【図７】
2014203253.tif 000009
【図８】
2014203253.tif 000010
【図９】
2014203253.tif 000011
【図１０】
2014203253.tif 000012
【図１１】
2014203253.tif 000013
【図１２】
2014203253.tif 000014
【図１３】
2014203253.tif 000015
【図１４】
2014203253.tif 000016
【図１５】
2014203253.tif 000017
【図１６】
2014203253.tif 000018
【図１７】
2014203253.tif 000019
【図１８】
2014203253.tif 000020
【図１９】
2014203253.tif 000021
【図２０】
2014203253.tif 000022
【図２１】
2014203253.tif 000023
【図２２】
2014203253.tif 000024
【図２３】
2014203253.tif 000025
【図２４】
2014203253.tif 000026
【図２５】
2014203253.tif 000027
【図２６】
2014203253.tif 000028
【図２７】
2014203253.tif 000029
【図２８】
2014203253.tif 000030
【図２９】
2014203253.tif 000031
【図３０】
2014203253.tif 000032
【図３１】
2014203253.tif 000033
【図３２】
2014203253.tif 000034
【図３３】
2014203253.tif 000035
【図３４】
2014203253.tif 000036
【図３５】
2014203253.tif 000037
【図３６】
2014203253.tif 000038
【図３７】
2014203253.tif 000039
【図３８】
2014203253.tif 000040
【図３９】
2014203253.tif 000041
【図４０】
2014203253.tif 000042
【図４１】
2014203253.tif 000043
【図４２】
2014203253.tif 000044
【図４３】
2014203253.tif 000045
【図４４】
2014203253.tif 000046
【図４５】
2014203253.tif 000047
【図４６】
2014203253.tif 000048
【図４７】
2014203253.tif 000049
【図４８】
2014203253.tif 000050
【図４９】
2014203253.tif 000051
【図５０】
2014203253.tif 000052
【図５１】
2014203253.tif 000053
【図５２】
2014203253.tif 000054
【図５３】
2014203253.tif 000055
【図５４】
2014203253.tif 000056
【図５５】
2014203253.tif 000057
【図５６】
2014203253.tif 000058
【図５７】
2014203253.tif 000059
【図５８】
2014203253.tif 000060
【図５９】
2014203253.tif 000061
【図６０】
2014203253.tif 000062
【図６１】
2014203253.tif 000063
【図６２】
2014203253.tif 000064